(57)【要約】【課題】  遊技者の意欲を向上させる回胴式遊技機を提供する。【解決手段】スロットマシン等の回胴式遊技機において、特別図柄を揃えることから開始されるボーナスゲームとは異なる内容のボーナスゲームを特別図柄とは異なる特定のある図柄が揃うことから開始させる。特定のある図柄は遊技者が通常の遊技で小役（例えば、「スイカ−スイカ−スイカ」）等と同様の図柄からなる態様とする。特に特定のある図柄が揃っても小役のように遊技価値が付与されることがないので、遊技者はいずれの図柄か特定できない。特定のある図柄からのボーナスゲームでは遊技状態を変化させるだけとすることで、遊技者には特別図柄からのみボーナスゲームが開始されるものと見せることができる。【選択図】    図１
2006334139.tif 000002
【特許請求の範囲】
【請求項１】
複数種類の図柄を含む図柄列を形成した帯が付された複数の可動表示体と、前記各可動表示体について前記図柄列の一部を構成する所定個数分の図柄群を遊技機本体の前面側にて表示可能とする図柄表示部とを備え、１回ごとのゲームについて所定数の遊技価値を掛けた状態で遊技者による始動操作を受け付けると、複数の前記可動表示体を一方向に回転させて図柄の表示を変動させ、この後、遊技者による複数回の停止操作を順次受け付けると、前記停止操作の受け付け順に前記可動表示体の回転を１つずつ停止させ、全ての前記可動表示体の回転が停止すると、前記図柄表示部内に表示された図柄群から構成される図柄の組み合わせ態様に基づいて１回のゲームごとに結果を判断する遊技機において、
１回のゲームごとに所定の内部抽選を行なう内部抽選手段と、
前記内部抽選手段により行なわれる前記内部抽選に通常の当選確率を適用して当落の結果を判断する通常確率当落判断手段と、
前記通常確率当落判断手段とは別に、前記内部抽選手段により行なわれる前記内部抽選に前記通常確率判断手段により適用される通常の当選確率に比して高い当選確率を適用して内部抽選の当落の結果を判断する高確率当落判断手段と、
前記可動表示体の回転を個々に停止させるべく個々の前記可動表示体について前記停止操作を受け付ける停止操作手段と、
前記内部抽選の当選結果として複数種類の一般小役を規定するとともに、前記複数種類の一般小役に対応する図柄として複数種類の一般小役図柄を規定する一般小役図柄規定手段と、
全ての可動表示体の停止時に前記図柄表示部内に表示された図柄の組み合わせが全て同種類の前記一般小役図柄で組み合わされた特定の表示態様となると、前記一般小役に対応した遊技価値を遊技者に付与する一般小役遊技価値付与手段と、
前記一般小役とは別に前記内部抽選の当選結果として第１特別当選種類を規定するとともに、前記第１特別当選種類に対応する図柄として第１特別当選図柄を規定する第１特別当選図柄規定手段と、
前記内部抽選の当落結果が前記通常確率当落判断手段により判断される通常遊技状態において全ての可動表示体の停止時に前記図柄表示部内に表示された図柄の組み合わせが、全て前記第１特別当選図柄で組み合わされた特定の表示態様となると、前記通常遊技状態から遊技者にとって有利な第１特別遊技状態に移行させる第１特別遊技状態移行手段と、
前記内部抽選の当選結果として前記第１特別当選種類とは別に第２特別当選種類を規定し、全ての可動表示体の停止時に前記図柄表示部内に表示された図柄の組み合わせが少なくとも２つ以上の異なる図柄の組み合わせから構成された特定の表示態様となると、前記第２特別当選種類の遊技特典として、前記通常遊技状態から前記通常遊技状態に比べて有利さの度合いの低い第２特別遊技状態に移行させる第２特別遊技状態移行手段と、
前記第１特別遊技状態移行手段により移行した前記第１特別遊技状態が終了すると、前記通常遊技状態から、前記高確率当落判断手段により前記内部抽選の当落の結果を判断する高確率遊技状態へ遊技状態を移行させるか否かを決定する遊技状態決定手段と、
前記遊技状態決定手段により前記高確率遊技状態へ遊技状態を移行させることが決まると、前記通常遊技状態から前記高確率遊技状態へと遊技状態の移行させる高確率遊技状態移行手段と、
前記第２特別遊技状態移行手段により移行した前記第２特別遊技状態が終了すると、前記通常遊技状態から、前記高確率当落判断手段により前記内部抽選の当落の結果を判断する有利遊技状態へ遊技状態を移行させる有利遊技状態移行手段とを具備したことを特徴とする遊技機。
【発明の詳細な説明】
【技術分野】
【０００１】
本発明は、パチンコ遊技機、スロットマシン等で代表される遊技機に関する。
【背景技術】
【０００２】
スロットマシンに代表される回胴式遊技機では、予め決められた当選役、特にビッグボーナスあるいはレギュラーボーナスという特別な遊技特典に対応した図柄（ボーナス図柄）を揃えることで開始されるビッグボーナスゲームあるいはレギュラーボーナスゲームという遊技価値を大量に獲得できる機会が設けられている。そしてこのビッグボーナスゲームあるいはレギュラーボーナスゲームを契機として種々の遊技特典（遊技者が入賞役の取りこぼしを防ぐためのアシストタイム等）が付与される遊技機が知られている（特許文献１参照）。
【特許文献１】特開２００４−３３５２１号公報（第１０頁、図７）
【発明の開示】
【発明が解決しようとする課題】
【０００３】
従って、上記のスロットマシンでゲームを行なうに当って、遊技者はビッグボーナス図柄（ＢＢ図柄）あるいはレギュラーボーナス図柄（ＲＢ図柄）を揃えようと一生懸命に遊技を行なうこととなる。しかし多くの遊技機では、遊技価値を大量に獲得できるビッグボーナスゲームあるいはレギュラーボーナスゲームのいずれも頻繁に揃うことの無いものとなっているので、その分、ＢＢ図柄あるいはＲＢ図柄が揃うと、その後に付与される遊技特典（付与特典）に対する遊技者の期待も非常に大きなものになってしまう。数少ないＢＢ図柄あるいはＲＢ図柄が揃った場合でもその後の付与特典が何も無いといった結果となってしまうと、ようやくのことでＢＢに当選あるいはＲＢに当選まで辿り着いたという喜びが遊技者から吹き飛んでしまう。
【０００４】
さらに近時のスロットマシンでは、ボーナス図柄の組み合わせ態様とならない限り、遊技価値を次々と消費することばかりが遊技者に強いられてしまい、適度な量の遊技価値を用いて気軽にゲームを楽しむという遊技機本来の目的が見失われつつあることも問題視されている。
【０００５】
本発明は、このような問題に鑑みて考え出されたものであり、遊技者がゲームに興趣を持てる技術を提供しようとするものである。
【課題を解決するための手段】
【０００６】
本発明の技術は、上記課題を解決するために以下の手段を採った。
【０００７】
（解決手段１）
解決手段１は、複数種類の図柄を含む図柄列を形成した帯が付された複数の可動表示体と、前記各可動表示体について前記図柄列の一部を構成する所定個数分の図柄群を遊技機本体の前面側にて表示可能とする図柄表示部とを備え、１回ごとのゲームについて所定数の遊技価値を掛けた状態で遊技者による始動操作を受け付けると、複数の前記可動表示体を一方向に回転させて図柄の表示を変動させ、この後、遊技者による複数回の停止操作を順次受け付けると、前記停止操作の受け付け順に前記可動表示体の回転を１つずつ停止させ、全ての前記可動表示体の回転が停止すると、前記図柄表示部内に表示された図柄群から構成される図柄の組み合わせ態様に基づいて１回のゲームごとに結果を判断する遊技機において、１回のゲームごとに所定の内部抽選を行なう内部抽選手段と、前記内部抽選手段により行なわれる前記内部抽選に通常の当選確率を適用して当落の結果を判断する通常確率当落判断手段と、前記通常確率当落判断手段とは別に、前記内部抽選手段により行なわれる前記内部抽選に前記通常確率判断手段により適用される通常の当選確率に比して高い当選確率を適用して内部抽選の当落の結果を判断する高確率当落判断手段と、前記可動表示体の回転を個々に停止させるべく個々の前記可動表示体について前記停止操作を受け付ける停止操作手段と、前記内部抽選の当選結果として複数種類の一般小役を規定するとともに、前記複数種類の一般小役に対応する図柄として複数種類の一般小役図柄を規定する一般小役図柄規定手段と、全ての可動表示体の停止時に前記図柄表示部内に表示された図柄の組み合わせが全て同種類の前記一般小役図柄で組み合わされた特定の表示態様となると、前記一般小役に対応した遊技価値を遊技者に付与する一般小役遊技価値付与手段と、前記一般小役とは別に前記内部抽選の当選結果として第１特別当選種類を規定するとともに、前記第１特別当選種類に対応する図柄として第１特別当選図柄を規定する第１特別当選図柄規定手段と、前記内部抽選の当落結果が前記通常確率当落判断手段により判断される通常遊技状態において全ての可動表示体の停止時に前記図柄表示部内に表示された図柄の組み合わせが、全て前記第１特別当選図柄で組み合わされた特定の表示態様となると、前記通常遊技状態から遊技者にとって有利な第１特別遊技状態に移行させる第１特別遊技状態移行手段と、前記内部抽選の当選結果として前記第１特別当選種類とは別に第２特別当選種類を規定し、全ての可動表示体の停止時に前記図柄表示部内に表示された図柄の組み合わせが少なくとも２つ以上の異なる図柄の組み合わせから構成された特定の表示態様なると、前記第２特別当選種類の遊技特典として、前記通常遊技状態から前記通常遊技状態に比べて有利さの度合いの低い第２特別遊技状態に移行させる第２特別遊技状態移行手段と、前記第１特別遊技状態移行手段により移行した前記第１特別遊技状態が終了すると、前記通常遊技状態から、前記高確率当落判断手段により前記内部抽選の当落の結果を判断する高確率遊技状態へ遊技状態を移行させるか否かを決定する遊技状態決定手段と、前記遊技状態決定手段により前記高確率遊技状態へ遊技状態を移行させることが決まると、前記通常遊技状態から前記高確率遊技状態へと遊技状態の移行させる高確率遊技状態移行手段と、前記第２特別遊技状態移行手段により移行した前記第２特別遊技状態が終了すると、前記通常遊技状態から、前記高確率当落判断手段により前記内部抽選の当落の結果を判断する有利遊技状態へ遊技状態を移行させる有利遊技状態移行手段とを具備したことを特徴とする遊技機である。
【０００８】
本発明の遊技機では、遊技価値を掛けた状態で遊技者が始動操作をすると複数の可動表示体が回転し、この後、遊技者の停止操作によって全ての可動表示体の回転が停止すると、図柄表示部内に停止した図柄群から構成される図柄の組み合わせ態様によってゲームの結果が判断される。つまり、本発明の遊技機における１回のゲームは、遊技価値を掛けた状態にし、次いで停止している状態の可動表示体を回転させ、この後、可動表示体の回転を停止させ、そして全ての可動表示体の停止時に必ず結果を判断するという一連の過程から成り立っている。したがって、全ての可動表示体の停止時に結果の判断が１度行われると、この後に遊技価値を掛けた状態にしたり、可動表示体を回転させたりする過程は、その次のゲームということになる。
【０００９】
１回のゲームごとに行なわれる内部抽選は、遊技者の始動操作を契機として行われる。ここでいう「内部」とは、抽選の中身が遊技者には知覚できないところで行なわれることを表したものであり、実際に内部抽選は遊技機の動作を制御する制御装置（制御基板）にて行なわれる。内部抽選の方法としては、所定の数値範囲内（最小乱数値から最大乱数値までの範囲内）で乱数を発生させておき、１回のゲームごとに乱数を１つ取得すると、この取得した１つの乱数の値を、あらかじめ規定されている当り値と比較することで抽選結果を判断するものが挙げられる。
【００１０】
内部抽選では複数種類の当選結果が用意されており、これら当選結果の種類別に乱数の当り値が割り当てられている。当り値には種類別に幅（数値範囲）が設けられており、取得された乱数の値がいずれかの当り値の範囲内にあれば、その当り値に対応する種類に当選したと判断される。このような内部抽選の仕組みでは、全乱数値に占める当り値の数の割合から当選結果の種類別の当選確率が規定される。
【００１１】
上記の内部抽選では通常の抽選確率（所謂、通常確率）での抽選が行なわれる以外に、特別の条件を満たすと、通常確率に比べて高い抽選確率（高確率）での抽選が行われる場合がある。この高確率での抽選では通常確率での抽選と比べると、先の乱数の当り値の幅が当選結果の種類によって、大きく（広く）変更されることになる。従って、乱数の当り値の幅が広く変更された分だけ取得された乱数が該当する当り値の範囲内に合致する可能性が高まる。
【００１２】
１回のゲームで行なわれた内部抽選の当選結果は、少なくとも当該ゲームでは維持されている。複数種類の当選結果の中には、当該ゲーム限りで結果が破棄される種類もあれば、次回以降のゲームまで持ち越される種類もある。
【００１３】
内部抽選の当選結果として、本発明の遊技機では複数の一般小役と第１特別当選種類および第２特別当選種類が規定されている。一般小役および第１特別当選種類には、それぞれ対応する一般小役図柄および第１特別当選図柄があり、これら図柄は上記の可動表示体にそれぞれ割り当てられている。つまり、可動表示体に付された図柄列の中には、当選結果の種類に対応付けられた図柄が含まれている。また「図柄」は、遊技者が視覚によって個々を識別することができる絵、記号、マーク、飾り文字等を意味する。
【００１４】
全ての可動表示体の停止時に、一般小役図柄が特定の態様で停止すると、対応した数の遊技価値が遊技者に付与される。ここでいう「特定の態様」とは、図柄表示部内での図柄の停止位置、並び、組み合わせ等を意味し、一般的には複数の可動表示体にまたがって対応する図柄が水平または斜めに揃っていることをいう。
【００１５】
また、全ての可動表示体の停止時に、第１特別当選図柄が特定の態様で停止すると、対応した数の遊技特典として、一般的な通常遊技状態から遊技者に有利な第１特別遊技状態に移行する。この第１特別遊技状態に移行すると、通常遊技状態と比較して、より多くの遊技価値を獲得できる機会が遊技者に与えられる。このため本発明の遊技機では、いかにして第１特別遊技状態に移行する回数を多くすることができるかが勝負の分かれ目となり、それゆえ遊技者の興味は、第１特別当選図柄をいつ、どのような場面で揃えることができるかに集中する傾向にある。
【００１６】
さらに、本発明の遊技機では、全ての可動表示体の停止時に一般小役図柄を含めた複数種類の図柄の組み合わせからなる特定の態様で停止すると、第２特別当選種類の遊技特典が遊技者に付与される。ここで第２特別当選種類の遊技特典とは、通常遊技状態から第２特別遊技状態といわれる遊技状態へ移行が行なわれることをいう。ここで第２特別遊技状態とは、第１特別遊技状態と比べても、また通常遊技状態と比べても遊技者にとって有利ではない遊技状態のことである。それゆえ遊技者にはあまり望ましくない印象を持たれる。しかし第２特別遊技状態は、第１特別遊技状態に移行しやすい有利遊技状態へと移行するための過程（経由、通過点）としての役割を持っている。第２特別遊技状態では通常遊技状態に比べても不利な条件（複数種類の当選結果について内部抽選での乱数の当り値の幅を小さくする等）のもとでゲームが行なわれることとなるので、第２特別遊技状態での遊技状態が継続する期間は第１特別遊技状態に比べて極力短い期間として、遊技者に目に見える不利益を被らせないようにする配慮が必要となる。本発明の遊技機では、この第２特別遊技状態が継続する期間を第１特別遊技状態が継続する期間に比べて少なくとも１／１０以下になるようにする。こうすると第２特別当選図柄が特定の態様として停止しても望ましくない印象を遊技者に与えることがほとんど無くなり、かえって第２特別当選種類に当選することを歓迎するようになる。
【００１７】
有利遊技状態では、内部抽選を高確率で実行することになるので、第１特別遊技状態へと移行しやすい遊技状態といえる。つまり有利遊技状態では、第１特別当選種類に通常遊技状態に比べれば短いゲーム回数の試行で到達する可能性が大きく高まる。
【００１８】
また、第１特別当選遊技状態が終了すると、内部抽選を高確率で行なうか否かが決定される。内部抽選を高確率で行なわないと決定されると、通常確率で行なうこととなる。通常確率が適用された内部抽選では、第１特別当選種類に再度当選する可能性は低いが、高確率が適用された内部抽選では、第１特別当選種類に当選する可能性が格段に高まる。つまりここでいずれが選ばれるかが遊技者にとって勝負を左右する分かれ目となる。従って遊技者は、高確率抽選実行手段により内部抽選が実行されることを望むようになる。
【００１９】
（解決手段２）
解決手段２は、解決手段１に記載の遊技機において、前記第２特別当選種類は、前記第２特別当選種類に対応する図柄の組み合わせが特定の態様となった場合に遊技者に遊技価値の付与を伴わずに前記第２特別遊技状態へと遊技状態を移行させる遊技特典に対応することを特徴とする遊技機である。
【００２０】
本発明の遊技機では、第２特別当選種類に対応する図柄の組み合わせが特定の態様となっても、特に遊技者に遊技価値が付与されない。仮に、上記の場合に遊技価値を払出してしまうと、遊技者は「ハズレ目」だと思っていた表示態様で遊技価値が払いだされたことに違和感を覚えるとともに、第２特別当選種類に対応した図柄の組み合わせに容易に気付いてしまうことになる。従って第２特別当選種類に対応する図柄の組み合わせが表示態様となっても、遊技価値の付与がなされないことにより、遊技者に第２特別当選種類に対応した図柄が揃った（あるいは当選した）ことを認識させない（気付かせない）ことができる。
【００２１】
（解決手段３）
解決手段３は、解決手段１または２に記載の遊技機において、前記内部抽選の当選結果として、再遊技当選種類を規定するとともに、前記再遊技当選種類に対応する図柄として再遊技図柄を規定する再遊技図柄規定手段と、今回のゲームにおいて前記再遊技図柄が前記図柄表示部内にて特定の態様で停止すると、改めて遊技価値を掛けることなく次回のゲームを実行可能とする再遊技実行手段とをさらに備え、前記第２特別当選図柄に対応する図柄の組み合わせは、少なくとも前記一般小役図柄および前記再遊技図柄を含んだ組み合わせから成る態様であることを特徴とする遊技機である。
【００２２】
本発明の遊技機では、内部抽選の当選結果として、再遊技当選種類が規定されている。再遊技当選種類には対応として再遊技図柄があり、一般小役図柄または第１特別当選図柄と同様、上記の可動表示体にそれぞれ割り当てられている。
【００２３】
再遊技図柄が図柄表示部内で特定の態様として停止すると、再遊技状態に移行する。ここで、「再遊技状態」とは、遊技者が今回のゲームと同じ遊技価値を掛けた状態で、かつ次回のゲームを行なうにあたり、遊技価値を改めて掛けることなくゲームを行なうことができる状態のことをいう。従って遊技者は遊技価値を消費することなく再度ゲームを行なうことができて、かつ遊技価値の消費を抑えることも可能である。
【００２４】
本発明の遊技機は、第２特別当選図柄を、専用の図柄として設けずに、上記の一般小役図柄および再遊技図柄の組み合わせからなる態様としている。つまり停止態様だけを見れば、所謂「ハズレ目」の停止態様と同様のものに見える。このような場合、第２特別当選図柄に専用の図柄が設けられていないので、いつ第２特別当選図柄が揃ったのか全く分からないものとなる。すると遊技者の知らない間に遊技状態を変化させて、遊技者にとってはあまり望ましくない第２特別遊技状態であることを分からせずに（察知させずに）有利遊技状態へと移行させることができる。従って遊技者は、第２特別当選図柄に対応する図柄の組み合わせの表示態様となっても通常遊技状態でのゲームで「ハズレ目」が停止したものとして特に気に留めずにゲームを進めていくことになる。そして遊技状態の変化に気が付いた時には有利遊技状態であったという好ましい状況を作り出すことができる。
【００２５】
（解決手段４）
解決手段４は、解決手段１から３のいずれかに記載の遊技機において、遊技機の外部に向けて複数の演出表示態様を表示するための表示手段と、前記表示手段による演出表示態様を前記内部抽選の当選結果に基づいて所定の演出表示態様を実行させる演出表示態様実行手段と、前記演出表示態様実行手段が実行する前記演出表示態様として、前記通常遊技状態である可能性が高いことを示唆する通常演出、前記内部抽選の当選結果を遊技者が停止操作を行なう際に案内する案内演出、前記第１特別当選種類に当選したことを教示する教示演出、前記有利遊技状態である可能性が高いことを示唆する有利演出と、前記高確率遊技状態である可能性が高いことを示唆する高確率演出を規定する演出表示規定手段と、前記演出表示態様実行手段に前記演出表示態様のいずれかを実行させるかを決定する演出表示態様決定手段とをさらに備えたことを特徴とする遊技機である。
【００２６】
本発明の遊技機では、特に外部に向けて様々な演出表示態様を表示させる表示手段を備える。これは、遊技者に当該遊技機でのゲームを視覚、聴覚を十分に使って楽しませることを目的としている。この演出表示態様には、現在の遊技状態が通常遊技状態である可能性が高いことを示唆する内容の演出と、内部抽選の当選結果を遊技者が可動表示体の停止
操作を行なう際に案内（誘導、ナビゲーション）して該当する当選結果（一般小役、再遊技当選種類等）を揃えるための手助けをする内容の演出と、第１特別当選種類に当選したことを教示（告知、報知）する内容の演出と、有利遊技状態である可能性が高いことを示唆する内容の演出と、高確率遊技状態である可能性が高いことを示唆する内容の演出がある。
【００２７】
上記の各種演出は、当該遊技機の遊技状態に基づいていずれかの演出が選択される。選択された演出が演出態様として表示手段により表示されることとなる。遊技者は表示された演出態様から当該遊技機の現在の遊技状態を推し量ることができる。また上記の演出は、必ずしも遊技状態と対応した演出が選択されない場合もあり、これが遊技者に遊技状態を正確に判断し難いものにしている。特に第２特別遊技状態および有利遊技状態については、遊技状態の判断を難しくすると、遊技状態をある程度正確に把握するまでゲームに釘付けとなり必要が生じる。これにより遊技者は演出表示態様を一つの手掛かりとして、その他の手掛かりである停止図柄の表示態様や前後の演出表示態様等から正確に遊技状態を判断しようという興味を見出すことになる。
【００２８】
（解決手段５）
解決手段５は、解決手段１から４のいずれかに記載の遊技機において、１回のゲームごとに遊技価値の掛け数を決定する掛け数決定手段と、前記掛け数決定手段により掛け数が決定された状態で遊技者の始動操作を受け付ける始動操作手段と、表面に複数種類の図柄を含む環状の図柄列が形成された複数の可動表示体を回転させて図柄の表示を変動させる一方、前記可動表示体の回転を停止させて前記各可動表示体について前記図柄列の一部を構成する所定個数分の図柄群を遊技機本体の前面側にて表示可能とする図柄表示部と、前記始動操作手段にて前記始動操作が受け付けられると前記可動表示体の回転を開始し、前記可動表示体の回転中に前記停止操作手段にて前記停止操作が受け付けられると、前記停止操作の受け付け順に前記可動表示体を停止させる可動表示体駆動手段と、前記停止操作手段により受け付けられた順番に従って前記可動表示体を停止させる制御を行なう停止制御手段と、１回のゲームにつき、前記可動表示体駆動手段により全ての前記可動表示体が停止されると、前記全ての可動表示体の停止時の図柄の組み合わせ態様に基づき、必要に応じて規定数の遊技価値を遊技者に与える遊技価値付与手段と、前記特別遊技状態移行手段により遊技状態が前記遊技状態へと移行すると、遊技者に付与する遊技価値の付与機会を通常遊技状態に比して増加させる遊技価値付与機会増加手段とを更に備えたことを特徴とする遊技機である。
【００２９】
解決手段５は、特にスロットマシン等の遊技機において、遊技者が１回のゲームを行なうための遊技価値（メダル、コインなど）の掛け数を決めた状態で始動操作を行った後に、遊技者により停止操作がなされない限り、前記可動表示体は回転を続ける。遊技者による停止操作が受け付けられると、その受け付け順に前記可動表示体は回転を停止させる。また全ての前記可動表示体が停止すると、図柄表示部に表示された図柄の組み合わせから、必要に応じて遊技価値が遊技者に付与される。遊技者は遊技価値を掛けてから可動表示体を回転させて停止させるという一連の操作を繰り返しながら遊技を進めていくこととなる。そのうえで、図柄表示部に表示された組み合わせによっては、特別遊技状態という遊技価値を通常遊技状態に比べて大量に獲得することができる遊技状態に移行することができる。この特別遊技状態では、遊技価値の付与が集中して行なわれることとなるため、遊技者は特別遊技状態に移行することを期待しながらゲームを進行させていくことになる。
【００３０】
（解決手段６）
解決手段６は、解決手段１から５のいずれかに記載の遊技機において、前記高確率遊技状態移行手段により前記高確率遊技状態へと遊技状態が移行した状態で、前記遊技状態決定手段により前記通常遊技状態へ遊技状態を移行することが決まると、前記高確率遊技状態から前記通常遊技状態へ遊技状態を移行させる通常遊技状態復帰手段とをさらに備えたことを特徴とする遊技機である。
【００３１】
この場合、高確率遊技状態から通常遊技状態への遊技状態の移行が行なわれることになる。即ち、それまで適用されていた高い当選確率から、通常の当選確率へと変更が行なわれて、以後の内部抽選が実行されることになる。つまり遊技者にとっては、有利な状態から通常の状態へと戻ってしまうことになる。しかし、有利な状態と通常の状態との適度なバランスを取るためには必要である。またホールと遊技者の利益バランスをある程度一定の範囲に保つことも可能となる。
【００３２】
（解決手段７）
解決手段７は、解決手段１から６のいずれかに記載の遊技機において、前記有利遊技状態移行手段により前記有利遊技状態へと遊技状態が移行した状態で、前記遊技状態決定手段により前記通常遊技状態へ遊技状態を移行することが決まると、前記有利遊技状態から前記通常遊技状態へ遊技状態を移行させる通常遊技状態移行手段とをさらに備えたことを特徴とする遊技機である。
【００３３】
この場合、有利遊技状態から通常遊技状態への遊技状態の移行が行なわれることになる。即ち、それまで適用されていた高い当選確率から、通常の当選確率へと変更が行なわれて、以後の内部抽選が実行されることになる。すると、それまでよく当選していた一般小役あるいは再遊技当選種類に当選する機会が少なくなる。これは遊技者に当該遊技機の遊技状態に変化が起こったことを暗に知らせることができる。遊技に熟練した遊技者であれば、数回のゲームの試行によってこの遊技状態の変化を見抜くことも可能である。ただし、一般小役あるいは再遊技当選種類は通常遊技状態でも連続して当選したり、あるいは、有利遊技状態でもしばらく当選しなかったりすることもあるので、遊技状態の変化をすぐに見抜くことは難しい。従って、遊技者は当該遊技機でのゲームに熟練して遊技状態の変化を素早く見抜く努力を行なうようになる。
【００３４】
（解決手段８）
解決手段８は、解決手段１から７のいずれかに記載の遊技機において、前記有利技状態移行手段により前記有利遊技状態へと遊技状態が移行した状態で、前記第２特別遊技状態が終了すると、前記有利遊技状態から前記有利遊技状態へ遊技状態を引き続き継続させる有利遊技状態継続手段とをさらに備えたことを特徴とする遊技機である。
【００３５】
この場合、有利遊技状態が引き続き継続されることになる。そして再び、第１特別当選種類および第２特別当選種類に当選する期待が大いに高まる。従って遊技者は、できる限り、有利遊技状態が長く続くことを期待しながらゲームを行なうことになる。
【００３６】
（解決手段９）
解決手段９は、解決手段１から８のいずれかに記載の遊技機において、前記高確率遊技状態移行手段により前記高確率遊技状態へと遊技状態が移行した状態で、前記遊技状態決定手段により、前記高確率遊技状態へ遊技状態を移行することが決まると、前記高確率遊技状態から前記高確率遊技状態へ遊技状態を引き続き継続させる高確率遊技状態継続手段とをさらに備えたことを特徴とする遊技機である。
【００３７】
この場合、高確率遊技状態が引き続き継続されることになる。そして再び、第１特別当選種類に当選する期待が大いに高まる。従って遊技者は、できる限り、高確率遊技状態が続くことを願うようになる。
【００３８】
（解決手段１０）
解決手段１０は、解決手段１または９のいずれかに記載の遊技機において、前記内部抽選の当選結果として、特定小役を規定するとともに、前記特定小役に対応する図柄として特定小役図柄を規定する特定小役図柄規定手段と、全ての前記可動表示体の停止時に、少なくとも特定の前記可動表示体について前記特定小役図柄が前記図柄表示部内において特定の態様で停止したことを条件に、前記特定小役に対応した数の遊技価値を遊技者に付与する特定遊技価値付与手段とをさらに備え、前記第２特別当選図柄に対応する図柄の組み合わせは、少なくとも前記特定小役図柄を含んだ組み合わせから成る態様であることを特徴とする遊技機である。
【００３９】
本発明の遊技機では、内部抽選の当選結果として特定小役が規定されている。特定小役には対応する図柄として特定小役図柄があり、一般小役図柄または第１特別当選図柄と同様、上記の可動表示体にそれぞれ割り当てられている。
【００４０】
一般小役図柄または第１特別当選図柄と違い、特定小役図柄の場合、少なくとも特定の可動表示体について特定小役図柄が決まった位置に停止しているだけでよい。なお、遊技特典としては遊技価値の付与等が挙げられる。遊技者は、できるだけこの遊技特典を得たいと考えて特定小役図柄が特定の態様となるように停止操作を行なうところで技量を発揮する。
【００４１】
本発明の遊技機は、第２特別当選図柄を、専用の図柄として設けずに、上記の特定小役図柄およびその他の図柄の組み合わせからなる態様としている。つまり停止態様だけを見れば、所謂「ハズレ目」の停止態様と同様のものに見える。このような場合、第２特別当選図柄に専用の図柄が設けられていないので、いつ第２特別当選図柄が揃ったのか全く分からないものとなる。すると遊技者の知らない間に遊技状態を変化させて、遊技者にとってはあまり望ましくない第２特別遊技状態であることを分からせずに（察知させずに）有利遊技状態へと移行させることができる。従って遊技者は、第２特別当選図柄に対応する図柄の組み合わせの表示態様となっても通常遊技状態でのゲームで「ハズレ目」が停止したものとして特に気に留めずにゲームを進めていくことになる。そして遊技状態の変化に気が付いた時には有利遊技状態であったという好ましい状況を作り出すことができる。
【００４２】
ここで、特定小役図柄は、上記の特定の可動表示体以外にも割り当てられている。従って、第２特別当選図柄となる図柄の組み合わせでは、特定の可動表示体以外の可動表示体に割り当てられた特定小役図柄と、その他の図柄の組み合わせとすることが望ましい。これは、特定小役と第２特別当選種類は、内部抽選の当選結果としては別の当選結果となっているので、当該遊技機のゲーム性に矛盾を生じさせないという意味でも望ましいことである。また、特定の可動表示体以外の可動表示体に割り当てられた特定小役図柄は、遊技特典の付与に関係のない図柄（飾り図柄、図柄のバリエーションを多く見せるためだけ）としての役割しか持っていないため、特別当選図柄としての組み合わせに含めることは、数の限られた図柄を有効に活用することにもなる。
【００４３】
（解決手段１１）
解決手段１１は、解決手段１から１０のいずれかに記載の遊技機において、前記第１特別当選種類は、前記第１特別当選種類に対応する図柄の組み合わせが特定の態様となった場合に遊技者に遊技価値の付与を伴わずに前記第１特別遊技状態へと遊技状態を移行させる遊技特典に対応することを特徴とする遊技機である。
【００４４】
本発明の遊技機では、第１特別当選種類に対応する図柄の組み合わせが特定の態様となっても、特に遊技者に遊技価値が付与されない。これは、第１特別当選種類が、第１特別遊技状態への移行という遊技者にとって有利な遊技特典に対応した当選種類である。第１特別遊技状態では、遊技価値の付与が集中して行なわれるものであるから第１特別当選種類に対応した図柄が特定の態様となってもそのゲームでは遊技価値の払出しが行なわれないのである。これにより特別当選種類（第１特別当選種類、第２特別当選種類）は、対応する図柄が特定の態様となっても遊技価値の払出しが伴わない当選種類であるとの認識を遊技者に持たせることができる。
【発明の効果】
【００４５】
本発明により、遊技者は特定の図柄を意識せずに有利なゲームを行なうことができる。
【発明を実施するための最良の形態】
【００４６】
以下、本発明を回動式遊技機に適用した一実施形態について、図面に基づいて詳細に説明する。
【００４７】
（一実施形態の概要）
図１は、一実施形態の回胴式遊技機であるスロットマシン１を示している。図１のスロットマシン１は、遊技媒体として例えばメダル、コイン等を用いるタイプのものである。なお、その他にも回胴式遊技機には遊技球を用いるタイプのものもあり、こちらのタイプも実施形態として好適である。また本発明の実施にあたり、いずれのタイプを適用しても本質的な差違は生じない。
【００４８】
スロットマシン１は遊技者に相対する前面に前面扉４を有しており、この前面扉４の奥に箱型の本体部分２を有する。本体部分２の左側壁の内面と前面扉４の左側端部の背面とは上下２つの蝶番（図示しない）を介して相互に連結されている。この蝶番を軸として、前面扉４はその右側端に位置する鍵穴４８にスロットマシン１専用の鍵を入れて時計回りに回すことで、片開き形式に手前に開閉することができ、前面扉４が閉じた状態で、蝶番は前面扉４の背後に隠れるようにして本体部分２の内側に収容される。
【００４９】
また前面扉４は、上半分の部分に液晶表示部５８を有するほか、この液晶表示部５８の下方に平坦な透明板（遊技パネル）６を有している。前面扉４の下半分の部分は遊技パネル６から前方に突出するように形成されており、この突出部にはメダル投入口２６やベットボタン１２，１４，１６（掛け数決定手段）、始動レバー１８（始動操作手段）、左、中および右の各停止ボタン２０，２２，２４（停止操作手段）等が遊技パネル６の下縁に沿って配設されている。その他、前面扉４の下半分には貯留精算ボタン４６および化粧板５０が配設されており、更に化粧板５０の下には受け皿５４が設けられている。
【００５０】
液晶表示部５８は、遊技の進行に伴う演出のための映像や後述するボーナスゲームでの獲得メダル枚数等を表示させることで遊技者の遊技の進行を補助する役割をしている。な液晶表示部は、表示手段の一つに相当し、各種演出表示態様を表示させるものである。
【００５１】
遊技パネル６には、その略中央の位置に矩形の表示窓８（図柄表示部）が形成されており、この表示窓８を通してスロットマシン１に内設された可変回転体１０ａ，１０ｂ，１０ｃを透視することができる。また遊技パネル６には、表示窓８の周囲を取り巻くようにして表示領域３８，４０や表示部３０，３２，３４等が形成されている。正面から見て表示窓８の右側に位置する表示領域４０には、各種文字情報や図柄情報が付されており、反対の左側に位置する表示領域３８にはベットランプ４２およびボーナス告知ランプ４４等の点灯表示部が配列されている。
【００５２】
また遊技パネル６には、表示領域３８の下側に位置するスタートランプ２８の他、クレジット枚数表示部３０、ゲーム数表示部３２、払出し枚数表示部３４およびメダルインランプ３６がそれぞれ設けられている。なお各ランプは遊技パネル６の背後の図示しないランプユニットのことである。各ランプの発光は遊技パネル６上で遊技者が視認することが可能である。上記の各ランプ、各表示部は表示手段の一つとして各種演出表示態様を表示することもできる。
【００５３】
メダルインランプ３６は、遊技者が遊技を開始する前に点滅（または点灯）し、遊技者にメダル投入口２６へメダルの投入を促す役割をしている。
【００５４】
ベットランプ（有効ラインランプ）４２は、遊技者によりメダル投入口２６より投入されたメダルの枚数に対応して１ベット、２ベット、３ベット（それぞれ１枚掛け、２枚掛け、３枚掛けともいう）に対応したランプを点灯表示させて遊技者に掛け数を知らせる役割をしている（図中のベットランプ４２の１は１ベット、２は２ベット、３は３ベットに対応している）。なおベットボタン１２，１４，１６の押下操作はそれぞれ１枚掛け、２枚掛け、３枚掛けに対応している。特に３枚掛けについては１回のゲームでの最大掛け数となるためＭＡＸベット（ベットボタン１２，１４，１６をそれぞれ１ベットボタン、２ベットボタン、ＭＡＸベットボタンと呼ぶ）と呼ぶ。
【００５５】
スタートランプ２８は、始動レバー１８の操作が有効になった場合に点灯（または点滅）し、遊技者にゲームのスタートを促す役割をしている。また払出枚数表示部３４は、メダルの払出しを伴う当選種類が図柄の組み合わせとして表示された場合にその払出枚数を表示するほか、スロットマシン１に発生した各種の異常、遊技の進行に起因して発生した異常を表示するエラー表示器としても機能する。このため、以下では必要に応じて払出枚数表示部３４をエラー表示部３４ともいう。
【００５６】
クレジット枚数表示部３０は、最大掛け数（例えば３ベット）を超えるメダルの貯留がある場合に貯留されている枚数として遊技者に貯留枚数を知らせる役割をしている。クレジット枚数表示部３０の表示は、貯留精算ボタン４６を１回操作することで貯留が解除され、メダルの貯留（クレジット）の精算を行なうことも可能である。
【００５７】
クレジットは最大で５０まで貯留することができる。クレジットに貯留された枚数から、次回ゲームへのベット数を、ベットボタン１２，１４，１６を操作することによって選択できるため、遊技をスムーズに進行することができる。クレジットからベットされた場合、ベットされた数だけクレジットとして貯留された枚数から減算されていく。なおメダルの払出しに伴い、最大クレジット数を超えた場合のメダルは払出口５２を通じて受け皿５４に払い出される。
【００５８】
ボーナスフラグ告知ランプ４４は、遊技者に後述するボーナス等に当選したことを知らせる役割をしている。ボーナスフラグ告知ランプ４４も表示手段に相当する。
【００５９】
ゲーム数表示部３２は、後述するボーナスゲームでのメダルの払出しが集中して行われる特典の回数等の状況の表示を行ない、遊技者のボーナスゲームの遊技をスムースに進行させる役割をしている。
【００６０】
図１では特に描かれていないが、化粧板５０にはスロットマシン１の機種名称やイラストなどが描かれている。化粧板５０は前面扉４を装飾したり、遊技者の目を引きつけて遊技意欲を掻き立てたりする役割をしている。
【００６１】
鍵穴４８は、スロットマシン１専用の鍵（以下では専用鍵として統一する）を入れて左右にそれぞれ約４５度ほど回す（捻る）ことが可能となっており、右回りに回すことで前面扉４の施錠を解錠することができ、また左回りに回すことでスロットマシン１の遊技が中段した状態を遊技再開が可能な状態に戻す（リセットする）ことができる。なお、このリセットする操作については、後述するリセットスイッチ７４を押下することでも同様の処理ができる。
【００６２】
払出口５２の左右には２個のスピーカ５６が設けられており、これらスピーカ５６からは遊技の進行に伴う効果音やＢＧＭ、音声等が出力される。
【００６３】
その他、液晶表示部５８の左右にランプ６４、およびスロットマシン１の外周に沿ってランプ６０，６２，６６が配置されており、これらランプ６０，６２，６４，６６は遊技状態に応じた発光装飾による演出を実施することができる。これらランプ６０，６２，６４，６６も表示手段の一つとして各種演出表示態様を表示（発光等の演出）することができる。
【００６４】
図１中に破線で示される５本の有効ライン６８ａ，６８ｂ，６８ｃは、表示窓８内に表示される図柄の配列を１つの組み合わせとして見るための方向を規定したものであり、それぞれ１枚掛け、２枚掛け、３枚掛けのベット数に対応して有効化されるライン（一直線）となっている。具体的には、１枚掛けの遊技では中段位置にある水平な有効ライン６８ａが１本だけ有効化され、２枚掛けになると、これに加えて上段と下段の位置にある２本の水平な有効ライン６８ｂが有効化されて都合３本となる。そして３枚掛けの遊技では、更に斜めの有効ライン６８ｃが２本とも有効化され、合計５本の有効ライン６８ａ，６８ｂ，６８ｃのすべてが有効となる。いずれにしても、そのときの掛け数に応じて有効化されているライン６８ａ〜６８ｃに沿って並んだ図柄の配列を１つの組み合わせとしてみることができる。
【００６５】
図２はスロットマシン１の本体部分２の内部構造を示している。この図２では前面扉４を取り外した状態が示されている。本体部分２の上半分の部分には、前述の可変回転体１０ａ，１０ｂ，１０ｃを有する可変図柄表示装置１０が設置されている。本体部分２の内面には、可変図柄表示装置の周囲をサブ制御基板９４、メイン制御基板９２、外部端子板９６が取り囲むように取り付けられている。また本体部分２の下半分の部分には、図２でみて左側の内壁面に沿って電源ユニット７０が設置されているほか、本体部分２の底の略中央位置にホッパ装置７８が設置されており、このホッパ装置７８の右脇の位置には遊技メダル補助収納庫８４が設置されている。
【００６６】
ここで本実施形態のスロットマシン１は、機械的な可変図柄表示装置（回転装置）が３つの可変回転体から構成されている。これら３つの可変回転体は同形状であり、いずれも筒型の骨組に複数種の図柄（ベル、スイカ、チェリー等）が印刷された透光性を有する図柄帯（図３に示す）が張られたことにより筒状の形態を成している。前記筒状の形態を成した可変回転体はスロットマシン等の遊技機においてはリール、またはドラムと呼ばれている（以下では前記可変回転体をリール、前記可変図柄表示装置をリール装置として統一する）。リールは回転させたり、停止させたりしても、周方向でみてリールに付された帯状の図柄列の配置関係を常に保持している。
【００６７】
各々のリール１０ａ，１０ｂ，１０ｃにはステッピングモータからなるリール駆動モータ８８ａ，８８ｂ，８８ｃ（可動表示体駆動手段）がそれぞれ設けられている。このため各リール１０ａ，１０ｂ，１０ｃは独立して回転、停止することができ、その回転時には表示窓８にて複数種類の図柄が上から下へ連続的に変化しつつ表示される。また各リール１０ａ，１０ｂ，１０ｃの回転軸は水平方向に延びる同一軸線上に配設されている。各リール１０ａ，１０ｂ，１０ｃには表示窓８から視認される位置に移動した図柄をリールの内周側から照らすためのリール内ランプ９０ａ，９０ｂ，９０ｃが設けられており、表示窓８より視認可能なリールの上段部分、中段部分、下段部分を各リール１０ａ，１０ｂ，１０ｃ別に独立して点灯させることが可能に構成されている。これら各リール１０ａ，１０ｂ，１０ｃは、前面扉４を閉めることで外側から直接触れることができなくなる。
【００６８】
メイン制御基板９２は、スロットマシン１の遊技の進行を行なうための中枢機器であり、このメイン制御基板９２は、メダルの投入や払出し等、前記リール装置１０の回転と停止等および各表示部２８，３０，３２，３４，３６，４２，４４による表示等の遊技の進行に直接関わる動作を管理している。
【００６９】
サブ制御基板９４は、スロットマシン１の遊技の進行を補助するための液晶表示部５８への演出の表示および各ランプ６０，６２，６４，６６の管理を行っている。
【００７０】
外部端子板９６は、スロットマシン１とホールコンピュータ等を接続する場合の各種の情報の出入り口としての役割をしている。
【００７１】
メイン制御基板９２は、サブ制御基板９４および外部端子板９６と図示しない配線およびコネクタ等により接続されている。そのためメイン制御基板９２から各種情報の伝達がサブ制御基板９４および外部端子板９６へ行われることを可能としている。
【００７２】
電源ユニット７０内には、設定キースイッチ７２、リセットスイッチ７４、電源スイッチ７６を有しており、スロットマシン１の設定を変更したり、異常が発生した際のエラー状態の解除を行ったり、電源のＯＮ−ＯＦＦを行なうことができる。また電源ユニット７０は、前記メイン制御基板９２を含め各種基板に電力を供給するために配線およびコネクタ等により接続されている。なお電源ユニット７０は、スロットマシン１の外部からの不正な手段により直接触れることを防止するためのプラスチック等の合成樹脂で形成されたカバー（図示はしない）が施されている。
【００７３】
ホッパ装置７８は、常時メダルを貯留させておくことで、メダルの払出しが行われる場合の供給源としての役割をしている。なおホッパ装置７８の内部には図示しないがホッパモータを備えており、メダルの払出しが行われる場合はこのホッパモータが回転することにより、ホッパ装置７８内に貯留されているメダルが払出し口８０から払出される。ホッパ装置７８内に貯留されているメダルは一定数量に達するとオーバーフロー状態となり、一定数量を超えた分のメダルは、オーバーフロー吐き出し口８２から遊技メダル補助収納庫８４に導かれて遊技メダル補助収納庫８４へ貯留されていく。
【００７４】
遊技メダル補助収納庫８４は、前述した通り、ホッパ装置７８内にてオーバーフローしたメダルを受け入れるため、メダルの貯留の補助的な役割をしている。
【００７５】
（スロットマシンの内部構成）
図４は、スロットマシン１に装備されている各種の機構要素や電子機器類、操作部材等の構成を概略的に示している。スロットマシン１は遊技の進行を統括的に制御するためのメイン制御基板９２を有しており、このメイン制御基板９２にはＣＰＵ１１０をはじめＲＯＭ１１２、ＲＡＭ１１４、入出力インタフェース１１６等が実装されている。
【００７６】
前述したベットボタン１２，１４，１６や始動レバー１８、停止ボタン２０，２２，２４、貯留精算ボタン４６等はいずれもメイン制御基板９２に接続されており、これら操作ボタン類は図示しないセンサを用いて遊技者による操作を検出し、検出された操作信号をメイン制御基板９２に出力することができる。具体的には、始動レバー１８は前述の３つのリール１０ａ〜１０ｃを始動させる操作信号をメイン制御基板９２に出力し、停止ボタン２０，２２，２４はリール１０ａ，１０ｂ，１０ｃをそれぞれ停止させる操作信号をメイン制御基板９２に出力する。鍵穴４８は、専用鍵を挿入した後に左回りに回すことで、鍵穴４８奥に設置されたエラー解除センサ１００（図１では図示しない）よりリセット信号をメイン制御基板９２に出力することができる。また右回りに回すことで前面扉４が開放されると、図示しない前面扉４の裏に設けられた扉開放センサ１３２により開放信号がメイン制御基板へ出力される。扉開放センサ１３２はエラー解除センサ１００と隣接して設置されており、前面扉４が開放されると、前面扉４と本体部分２とが離れたことを検出することができる。
【００７７】
またスロットマシン１にはメイン制御基板９２とともにその他の機器類が収容されており、これら機器類からメイン制御基板９２に各種の信号が入力されている。機器類には、前述の３つのリール１０ａ〜１０ｃを擁するリール装置１０のほか、ホッパ装置７８等がある。
【００７８】
リール装置１０は各リール１０ａ，１０ｂ，１０ｃの回転に関する基準位置を検出するための位置センサを有しており、これら位置センサ（各リールに対応してそれぞれ左リール位置センサ１０６ａ、中リール位置センサ１０６ｂ、右リール位置センサ１０６ｃと呼ぶ）からの検出信号（インデックス信号）がメイン制御基板９２に入力されている。またメダル投入口２６の奥には図示しない投入センサ１０４およびロックアウトソレノイド１０２が設置されている。このうち投入センサ１０４は、メダル投入口２６から投入されたメダルを検出し、メダルの検出信号をメイン制御基板９２に出力することができる。一方のロックアウトソレノイド１０２は、前面扉４の内側でメダル投入口２６の奥に配置されたメダルセレクタ（図示されていない）の通路をロックアウトする（塞ぐ）役割を果たす。ロックアウトソレノイド１０２は、ノーマル（非作動）の状態でメダルセレクタの通路をロックアウトしているが、作動時にはこの通路を開き（ロックアウト解除）、メダルの投入を受け付け可能な状態にする。また、投入されたメダルは投入センサ１０４で検出される。逆に、ロックアウトソレノイド１０２が非作動状態になるとメダルセレクタがロックアウトされてメダルの投入が受け付けられなくなり、遊技者がメダルを投入しても、そのまま吐き出されて受け皿５４に返却される。また、このとき合わせて投入センサ１０４の機能が無効化されるので、メダル投入によるベットまたはクレジット加算のいずれも行われなくなる。
【００７９】
ホッパ装置７８は、払出し口８０内に払い出されたメダルを１枚ずつ検出する払出センサ９８を有しており、この払出センサ９８からメダル１枚ごとの払出メダル信号がメイン制御基板９２に入力されている。また、遊技メダル補助収納庫８４にはメダル満タンセンサ８６が設けられており、内部に貯留されたメダルの貯留数が所定数量を超えた場合、メダルが所定数量を超えた検出信号をメイン制御基板９２に出力することができ、液晶表示部５８等により遊技機の異常を知らせるエラー表示が行われ、遊技者等に報知されることとなっている。
【００８０】
一方、メイン制御基板９２からは、リール装置１０やホッパ装置７８に対して制御信号が出力される。すなわち、前述した各リール１０ａ，１０ｂ，１０ｃを回転させるための各リール駆動モータ８８ａ，８８ｂ，８８ｃの起動および停止を制御するための駆動パルス信号がメイン制御基板９２から出力される。またホッパ装置７８には、組み合わせが表示された図柄の種類に応じてメイン制御基板９２から駆動信号が入力され、これを受けてホッパ装置７８はメダルの払い出し動作を行なう。このときホッパ装置７８内に払出しに必要な枚数のメダルが不足しているか、メダルが全く無い状態であると、払出しセンサ９８による枚数検出が滞ることとなり、所定時間経過（例えば３秒間）すると、払出しセンサ９８より払出しメダルの異常信号がメイン制御基板９２へ出力され、これを受けてメイン制御基板９２は、メダルの払出しに異常が発生したことを知らせる内容をエラー表示部３４や液晶表示部５８等に表示させる。
【００８１】
スロットマシン１は、メイン制御基板９２の他にサブ制御基板９４を備えており、このサブ制御基板９４にはＣＰＵ１１８やＲＯＭ１２０、ＲＡＭ１２２、入出力インタフェース１３０、ＶＤＰ１２４、音源ＩＣ１２８、オーディオアンプ１２６等が実装されている。サブ制御基板９４はメイン制御基板９２から各種の指令信号を受け、液晶表示部５８や各ランプ６０，６２，６４，６６それぞれの点灯または点滅およびスピーカ５６の作動を制御している。
【００８２】
更に、メイン制御基板９２には外部端子板９６が接続されており、スロットマシン１はこの外部端子板９６を介して遊技場のホールコンピュータ１０８に接続されている。外部端子板９６はメイン制御基板９２から送信される各種信号（投入メダル信号や払出メダル信号、遊技ステータス等）をホールコンピュータ１０８に中継する役割を担っている。
【００８３】
その他、スロットマシン１の内部には電源ユニット７０が収容されており、この電源ユニット７０は外部電源から電力を取り込んでスロットマシン１の作動に必要な電力を生成する。ここで生成された電力は、電源ユニット７０から各ユニットに供給されている。
【００８４】
また電源ユニット７０には、設定キースイッチ７２やリセットスイッチ７４、電源スイッチ７６等が付属している。これらスイッチ類はいずれもスロットマシン１の外側に露出しておらず、前面扉４を開くことで始めて操作可能となる。このうち電源スイッチ７６は、スロットマシン１への電力供給をＯＮ−ＯＦＦするためのものであり、設定キースイッチ７２はスロットマシン１の設定（例えば設定１〜６）を変更するためのものである。またリセットスイッチ７４はスロットマシン１で発生したエラーを解除するためのものであり、更には設定キースイッチ７２とともに設定を変更する際にも操作される。
【００８５】
（ゲーム処理）
次に、スロットマシン１におけるゲーム処理の流れについて説明する。以下のゲーム処理は、メイン制御基板９２のＣＰＵにて実行される制御プログラム上の処理手順に沿って進行する。
【００８６】
（１．回胴遊技処理）
図５は、スロットマシン１における基本的な１ゲーム（回胴遊技）の処理手順を一通り示している。１回のゲームは、まず始動処理（ステップＳ１０）から始まる。この始動処理はリール１０ａ，１０ｂ，１０ｃの回転を開始させるための処理であり、ここではメダルの投入またはベットボタン１２，１４，１６の操作を受け付けたり、始動レバー１８の操作を契機とした乱数抽選を行ったりする処理が行われる。なお、始動処理（ステップＳ１０）の詳細については、更に別のフローチャートを用いて詳しく後述する。
【００８７】
１回のゲームでは始動処理（ステップＳ１０）に続いて停止処理（ステップＳ２０）が実行される。この停止処理は、各リール１０ａ〜１０ｃの回転を停止させるとともに各リール１０ａ〜１０ｃの停止位置を制御するものである。これは、「リール制御」と称される処理に該当する。リール制御を用いた停止処理には、例えば当選種類と停止ボタンが押された位置の２つを参照して最終停止位置を決定するテーブル方式と、最大限当選種類を引込むコントロール方式の２つの方式があり、ここではどちらを用いる態様であってもよい。なお当選種類については、後述する始動処理にて説明する。リール制御を用いた停止処理についても別のフローチャートを用いて後述する。
【００８８】
リール制御によって停止処理を終えると、次に判定処理（ステップＳ３０）が実行される。この判定処理は全リール１０ａ，１０ｂ，１０ｃの停止時に表示された図柄の表示態様（出目）から図柄の組み合わせが有効ラインに表示されたか否かを判断し、組み合わせが表示された場合はそれに応じた遊技結果を提供するためのものである。遊技結果のうち主な特典はメダルの払い出しであるが、メダルの払出しがなくとも、表示された組み合わせ図柄（第１特別当選図柄、第２特別当選図柄等）の種類に応じてボーナスゲームに移行する特典が与えられたり、あるいはメダルの払出しとは別に内部状態（各種モード）を変更させる契機となったりするものがある。なお判定処理の具体的な内容については停止処理の後で説明する。
【００８９】
（２．始動処理）
図６は、上記の始動処理の内容を具体的に示している。ここでは先ず、メダルの投入またはベットボタン１２，１４，１６の操作が待ち受けられる（ステップＳ１０１）。遊技者がベット操作またはメダル投入をしないうちは（Ｎｏ）、始動レバー１８が有効化されないため、ステップＳ１０４の判断が否定（Ｎｏ）されて待ち受け状態（ステップＳ１０１）がループされ続ける。ベット操作またはメダル投入があると、これを受けて受付処理（ステップＳ１０２）が行われ、ベット数に応じた有効ラインランプの点灯が行われる。また受付処理（ステップＳ１０２）では、メイン制御基板９２からメダル投入コマンドまたはベットコマンドがサブ制御基板９４に送信される。
【００９０】
受付処理（ステップＳ１０２）に続いて始動レバー有効処理（ステップＳ１０３）が行われ、ここで初めて始動レバー１８の操作が実質的に有効化される。この状態で遊技者が始動レバー１８を操作すると、ステップＳ１０４の判断が肯定（Ｙｅｓ）されて次に始動レバー無効処理（ステップＳ１０５）が行われる。
【００９１】
始動レバー１８の操作があると、これを契機として乱数の抽出（乱数抽選）が行われる（ステップＳ１０６）。また、始動レバー１８の操作を受け付けてから乱数を抽出するタイミングは特に規定されておらず、プログラミングの過程で適切な抽出タイミングを設定することができる。
【００９２】
次のフラグ処理（ステップＳ１０７）では、抽出された乱数値から当選または落選が判断され（通常確率抽選実行手段あるいは高確率抽選実行手段により内部抽選が実行される）、当選の場合は当選種類（第１特別当選種類、第２特別当選種類、一般小役、再遊技当選種類等）の種類に応じたフラグがＯＮにされるとともに、メイン制御基板９２から当選フラグコマンドがサブ制御基板９４に送信される。また、通常確率抽選実行手段により通常の当選確率が適用された内部抽選が行われている遊技状態を通常遊技状態、高確率抽選実行手段により通常の当選確率に比べて高い当選確率が適用された内部抽選が行われている遊技状態を高確率遊技状態と呼ぶ。
【００９３】
また、落選の場合は、いずれの当選種類（第１特別当選種類、第２特別当選種類、一般小役、再遊技当選種類等）も揃えることのできないハズレフラグがＯＮにされる。当選または落選したフラグ（いわゆる、成立フラグ）は、該当するフラグがＯＮになっている時に該当図柄を揃えることではじめて特典（遊技特典）が得られるものである。各々の特典については、判定処理にて別のフローチャートを用いて後述する。
【００９４】
上記のフラグ処理（ステップＳ１０７）が行われると、前回の始動処理でスタートされたウェイトタイマがタイムアップ（例えば４．１秒経過）したか否かが判断される（ステップＳ１０８）。タイムアップ（Ｙｅｓ）が確認されると、各リール１０ａ，１０ｂ，１０ｃが始動され（ステップＳ１０９）、ここから次回の始動までのウェイトタイマがスタートされる（ステップＳ１１０）。なお、フラグ処理については後述で詳細な説明をする。
【００９５】
（２−１．当選種類と当選図柄）
図７は、スロットマシン１の各種当選種類に対応した当選図柄の構成を示したものである。各々の当選図柄は全てのリールの停止時に表示窓８内に図柄の組み合わせ態様として有効ラインに揃うことでそれぞれの特典を得ることができるものである。
【００９６】
（２−１−１．第１特別当選図柄、第２特別当選図柄〔ボーナス図柄〕：特別当選種類）
当選種類が特別当選種類〔ビッグボーナス（ＢＢ）、シークレットスモールボーナス（ＳｅｃｒｅｔＳｍａｌｌＢ、略してＳＳＢ）〕である場合に対応する図柄がＢＢ図柄およびＳＳＢ図柄のボーナス図柄である。ＢＢ図柄の組み合わせ態様「７−７−７」または「Ｖ−Ｖ−Ｖ」が表示窓８内の有効ラインに停止すると「ＢＢゲーム」が開始される。あるいは、ＳＳＢの図柄組み合わせ態様「スイカ−ベル−リプレイ」が表示窓８内の有効ラインに停止すると「ＳＳＢゲーム」が開始される。本実施形態のスロットマシン１ではＳＳＢ図柄としての専用図柄を設けていない。そのため、停止時の図柄の組み合わせ態様が「スイカ−ベル−リプレイ」となって表示窓８内の有効ラインに停止すると、ＳＳＢ図柄が揃ったとして「ＳＳＢゲーム」が開始される。なお、本実施形態のスロットマシン１では、ＳＳＢとなる図柄の組み合わせ態様については明示しないものである。つまりスロットマシン１の本体その他、遊技者にアピールするような箇所にＳＳＢとなる図柄の組み合わせ態様を明示することはしない。従って遊技者が、ＳＳＢとなる図柄の組み合わせ態様について、知ることはできないものとなっている。
【００９７】
つまり、ボーナス図柄が揃うと「ＢＢゲーム」もしくは「ＳＳＢゲーム」のいずれかの特典が得られることになる。この「ＢＢゲーム」、「ＳＳＢゲーム」ともに、複数回のゲーム機会が集中して行なわれることで、特にＢＢゲームでは大量のメダルを獲得することができる特典を有している。そのため、ＢＢまたはＲＢは他の当選種類に比べて内部抽選で当選し辛くなっており（例えば１／２５６程度）、特にＢＢ図柄は各リール１０ａ，１０ｂ，１０ｃそれぞれともに配置数が非常に少なくなっている（概ね各リールに１〜２個配置される程度）。なお「ＢＢゲーム」および「ＳＳＢゲーム」の内容については後述するが、ＳＳＢゲームはそのゲーム終了後から「有利遊技状態」と呼ばれる状態へと遊技状態を移行させる契機となるゲームである。この有利遊技状態では、通常遊技状態でのゲーム（通常ゲーム）に比べて一般小役等の内部抽選での当選確率が高く変更されており、遊技者にとって有利な遊技状態である。ただし、ＳＳＢ図柄については、それ専用の図柄を設けるのではなく、後述するリプレイ図柄および一般小役図柄が特定の組み合わせ態様となって有効ラインに揃った（並んだ）場合にのみ有効となるものとしている。これは後述するＳＳＢゲームを遊技者に認識されず（気付かれず）に開始させることを可能にするためである。さらに、遊技者にはＳＳＢ図柄をあえて明示しないことで、ＳＳＢゲーム自体がいつ開始されて終了したのか不明確（傍目では分からない）とすることができる。それゆえ、内部抽選でＳＳＢに当選した場合は、遊技者にＳＳＢに当選したことを意識（認識）することがほとんど無いといえる。なお、ＳＳＢゲームを開始させる図柄の組み合わせは上記の「スイカ−ベル−リプレイ」以外の図柄の組み合わせとしてもよい。さらにＳＳＢとなる図柄の組み合わせパターンを複数持たせることとしてもよい。こうすると、ＳＳＢに対応する図柄の組み合わせを遊技者により分かりづらくさせる（または全く分からなくさせる）ことができるからである。
【００９８】
またＳＳＢ図柄、ＢＢ図柄ともに揃った場合には、そのゲームでメダルの払い出しは行われない。特にＳＳＢ図柄が揃ったときにメダルを払出してしまうとＳＳＢ図柄が遊技者に分かってしまうので、避ける必要がある。ＢＢ図柄の場合は、特に払出しを伴わせてもよい。これは、ＢＢ図柄が揃ったときは、遊技者がはっきりとＢＢ図柄が揃ったことを認識（視認）できるので払出しがあっても問題が無いためである。
【００９９】
（２−１−２．再遊技図柄〔リプレイ図柄〕：再遊技当選種類）
当選種類が再遊技当選種類（リプレイ）である場合に対応する図柄が、再遊技図柄（リプレイ図柄）である。リプレイ図柄の組み合わせ態様「リプレイ−リプレイ−リプレイ」が表示窓８内の有効ラインに停止すると「リプレイゲーム」が開始される。ここで「リプレイゲーム」とは、あらためてメダルを投入もしくはベット操作をすることなく、次回のゲーム時を再遊技として実行できることをいう。その場合の有効ライン数は、リプレイ図柄が揃ったゲームの有効ラインと同じラインとなる。
【０１００】
つまり、リプレイ図柄が揃うと「リプレイゲーム」という特典が得られることになる。また「リプレイゲーム」はメダルの払出しが行われない代わりにメダルを新たに消費する必要もない。そのため、当選頻度を高くして遊技者のメダルの消費量（一定時間当りにつき消費するメダル数）をある程度一定の範囲に保つことが可能となる。またリプレイはメダルの払い出しを伴わない当選種類であるので、当選頻度が高くなったとしてもホールにとって不利益となることは非常に少ない。それゆえ、リプレイは、ゲーム進行における過剰なメダルの消費を抑えることのできる非常に重要な当選種類としての役割を担っている。従ってリプレイに内部抽選において当選した場合には極力特典が得られるように、リプレイ図柄も各リール１０ａ，１０ｂ，１０ｃごと、それぞれ満遍なく配置されている（各リールとも概ね１〜４図柄おきに１個は配置する）。
【０１０１】
（２−１−３．特定小役図柄〔チェリー図柄〕：特定小役）
当選種類が特定小役（チェリー）である場合に対応する図柄が、特定小役図柄（チェリー図柄）である。チェリー図柄は単一リール（左リール１０ａ）の表示窓８内の有効ラインに停止する態様となっただけでメダルの払出し（２枚）が行なわれる。
【０１０２】
つまり、チェリー図柄からは、２枚のメダルが払出されるという特典が得られることになる。左リール１０ａのみの停止態様だけで特典が得られるチェリー図柄は残りの中リール、右リールの図柄の組み合わせに影響されないため（中リール、右リールはどの図柄が停止した態様でもよい）、チェリー図柄の組み合わせとして「チェリー−ＡＮＹ−ＡＮＹ」と表されることもある。
【０１０３】
また、チェリー図柄は左リールのみをよく狙って停止させれば当選した場合の特典を得ることができるため、全てのリールを目押ししなければならない他の当選図柄に比較して目押しの労力をさほど必要としない。このため、各リール１０ａ，１０ｂ，１０ｃごと、それぞれの配置は少なく（各リールとも概ね３〜５個配置される程度）、付与されるメダル数も他の当選種類に比べて少ない。このように、ある程度目押しをしないと取りこぼしが生じるようチェリー図柄の配置を少なくして、遊技者の目押しの技量の入る余地を持たせている
【０１０４】
それでも左リール１０ａのチェリー図柄を正確に停止させることができれば当選したチェリーの特典を得られるため、リプレイに比べて内部抽選で当選し辛くなっているものの、リプレイと同様、ゲーム進行におけるメダルの大量消費を抑えることのできる重要な当選種類としての役割を持っている。
【０１０５】
またチェリーを単一リールの有効ラインに停止するだけで特典を付与させることにより他のリールの図柄にチェリー図柄以外の図柄をより多く配置することが可能となる（例えば前記の他のリールにはチェリー図柄を設けない）。このため、チェリー図柄以外の当選図柄の配置にバリエーションを多く持たせることができ、遊技者に豊富な出目を見せることが可能となる。
【０１０６】
なお、チェリー図柄の特典が付与されるリールを必ずしも左リール１０ａに限定することはなく、中リール１０ｂ、右リール１０ｃの表示窓８内の有効ラインにチェリー図柄が停止した場合に特典が付与されることとしてもよい。つまり「ＡＮＹ−チェリー−ＡＮＹ」または「ＡＮＹ−ＡＮＹ−チェリー」となると特典を得ることができる。あるいは、左リール、中リールおよび右リールの３つリールのうち２つのリールのチェリー図柄が表示窓８内の有効ラインに停止したときの組み合わせ態様で特典を付与することとしてもよい。つまり「チェリー−チェリー−ＡＮＹ」、「ＡＮＹ−チェリー−チェリー」、「チェリー−ＡＮＹ−チェリー」となると特典を得ることができる。
【０１０７】
上記のいずれであっても、左リール、中リールおよび右リールの３つのリールの内の少なくとも１つ（あるいは２つ）のリールのチェリー図柄を狙って停止操作を行なうだけで特典が得られることが望ましい。これは遊技者が３つのリール全てを毎ゲーム目押しして停止操作する負荷を軽減させることにもなるからである。
【０１０８】
（２−１−４．一般小役図柄〔スイカ図柄、ベル図柄〕：一般小役）
当選種類が一般小役であった場合に対応する図柄が、一般小役図柄（スイカ図柄またはベル図柄）である。スイカ図柄の組み合わせ態様「スイカ−スイカ−スイカ」またはベル図柄の組み合わせ態様「ベル−ベル−ベル」が表示窓８内の有効ラインに停止するとそれぞれ１０枚、１５枚のメダルの払出しが行われる。
【０１０９】
つまり、スイカおよびベルという一般小役図柄が揃うと、それぞれに対応した枚数のメダルが払出されるという特典が得られることになる。そのため一般小役は、通常遊技にあって、メダルの増加が期待できる当選種類である。しかし、一般小役に過度に当選してしまうと、遊技者の獲得するメダルが過剰に増加してしまい、ホールとの利益バランスが崩れてしまう。それを回避するために、一般小役図柄は、各リール１０ａ，１０ｂ，１０ｃごとの配置を少なくして（各リールとも概ね３〜８図柄おきに１個配置する程度）、遊技者が各リールを正確に目押ししないと特典を得ることが難しくなっている。
【０１１０】
なお、当該遊技機では、一般小役はスイカとベルという複数の種類を用意している。そのため、内部抽選で当選する割合にスイカとベルとで差を設けている（例えば、スイカは当選し易く、ベルは当選し辛い）。更に、スイカは目押しの技量を相当発揮しないとスイカ図柄を取りこぼしてしまうものとし、一方、ベルは目押しの技量をほとんど必要とせずにベル図柄を揃えられるものとしている。このような形態とすると、ベルとスイカとの間に価値（付与される遊技価値の差に加えて目押しの必要度の差）に差を設けることができ、初級の遊技者から上級の遊技者まで満足のできるゲーム性（目押しの難易度）を持たせることが可能となる。なお、一般小役は上記以外にもさらに複数設けてもよい。ただしあまり一般小役が多種類になってしまうと、その分、それぞれの図柄の配置数が減ることになり、全ての一般小役（またはその他図柄も含む）に目押しが必要となってしまう虞もあり、ベル、スイカを含めて３〜４種類程度に留めることが望ましい。
【０１１１】
（２−２．フラグ処理）
ここでは、フラグ処理について、図８から図１０を用いてさらに詳細に説明する。図８は、フラグ処理の具体的な内容を示している。先ずステップＳ２０１で現在ＢＢゲーム中またはＳＳＢゲーム中であるかが判断される。続いてステップＳ２０２では、有利遊技状態フラグがＯＮであるかが判断される。有利遊技状態フラグがＯＮでない（Ｎｏ）と判断されると、通常時判定テーブルが選択され（ステップＳ２０４）、有利遊技状態フラグがＯＮである（Ｙｅｓ）と判断されると、有利時判定テーブルが選択され（ステップＳ２０３）、次いでステップＳ２０５へと進む。なお以下では通常遊技状態のことを通常時、有利遊技状態のことを有利時と呼ぶ。なお有利遊技状態と高確率遊技状態は同じ高い当選確率が適用された内部抽選を行なうものであるため、有利時と同様の処理を行なう。
【０１１２】
ここで、通常時判定テーブルおよび有利時判定テーブルともに、先のステップＳ１０６で抽出された乱数（以下では、この乱数のことを抽出乱数という）を判定（いずれの当選種類に該当するかを判断）して該当する当選フラグを決定するものである。また、有利時判定テーブルは、通常時判定テーブルに比べて、ＢＢおよびＳＳＢ、さらには一般小役等の乱数抽選の当り値の範囲（当選許容値）が大きく変更されている。従って、有利時判定テーブルが選択されると、ＢＢあるいはＳＳＢに当選する可能性が高くなり、遊技者にとって非常に魅力のある有利な遊技状態でゲームを行なうことができる。この判定テーブルデータを具体的に示したものが図９である。図９（ａ）の通常時の当選許容値と（ｂ）の有利時の当選許容値を比較してみると、ＢＢおよびＳＳＢが約１０倍に当選許容値の範囲が増加している。またベルが約５倍、リプレイは約２．５倍に当選許容値の範囲が増加している。それに対してハズレの当選許容値の範囲が約１／２．３に減少していることが分かる。これらよりいえることは、有利時には約５回のゲームに１回の割合で揃う可能性が高くなり、
〔  ベル（１５枚の払出し）−５回のゲームに要するメダル数（５×３＝１５枚）＝０  〕
と、遊技者がメダルを減らさずにゲームを行なうことが可能となる。実際のゲームではこの通りになるとは限らないが、これにリプレイが高確率で当選することが加わるため、ほとんどメダルを減らさないでゲームが行なえるといえる。
【０１１３】
ステップＳ２０５では、抽出乱数がＳＳＢの当選許容値に該当するかが判断される。ＳＳＢの当選許容値に該当すると判断されると（Ｙｅｓ）、ＳＳＢ当選フラグがＯＮされる（ステップＳ２０６）とともに、通常遊技状態フラグがＯＮであった場合は、有利遊技状態フラグがＯＮにされて（ステップＳ２０７）、ステップＳ２１７の演出パターン決定処理へと進む。
【０１１４】
ステップＳ２０５で、抽出乱数がＳＳＢの当選許容値に該当しないと判断されると（Ｎｏ）、ステップＳ２０８でＢＢの当選許容値に該当するかが判断される。またここでも該当しないと判断されると（ステップＳ２０８＝Ｎｏ）、ステップＳ２１３で小役（ベル、スイカ、チェリー）のいずれかの当選許容値に該当するかが判断される。さらにここでも該当しないと判断されると（ステップＳ２１３＝Ｎｏ）、ステップＳ２１５でリプレイの当選許容値に該当するかが判断される。もしリプレイの当選許容値にも該当しないと判断されると（ステップＳ２１５＝Ｎｏ、つまりハズレに該当）、演出パターン決定処理へと進む（ステップＳ２１７）。
【０１１５】
ステップＳ２０８でＢＢの当選許容値に該当すると判断された場合、ステップＳ２０９でＢＢ当選フラグがＯＮにされる。次いでステップＳ２１０で通常遊技状態フラグあるいは有利遊技状態フラグのいずれをＯＮにするかの振り分けが行なわれる（遊技状態フラグ振り分け抽選処理）。ここでの振り分けは、約１／３の割合で有利遊技状態フラグに振り分けられるものとしている。このようにするとＳＳＢから有利遊技状態に移行する機会を多くして、遊技者にいつ有利遊技状態になったのかを分かりづらくすることができ本実施形態のスロットマシン１の特徴を最大限生かすことができる。
【０１１６】
ステップＳ２１１では、遊技状態フラグ振り分け抽選処理にていずれのフラグが選ばれたかが判断される。有利遊技状態フラグが選ばれると、ステップＳ２０７へ進む。あるいは、通常遊技状態フラグが選ばれると、ステップＳ２１２で通常遊技状態フラグがＯＮにされ、ステップＳ２１７へと進む。
【０１１７】
ステップＳ２１３、ステップＳ２１５でそれぞれの当選許容値に該当すると判断された場合（ステップＳ２１３＝ＹｅｓまたはステップＳ２１５＝Ｙｅｓ）、それぞれステップＳ２１４、ステップＳ２１６へと進み、小役フラグ、リプレイフラグがＯＮにされてステップＳ２１７の演出パターン決定処理へと進む。
【０１１８】
ステップＳ２１７で演出パターンが決定すると、当選フラグ（有利遊技状態フラグがＯＮの時はこれも含む）および演出パターンが情報コマンドとしてサブ制御基板９４に送信される（ステップＳ２１８、コマンド送信処理）。
【０１１９】
また、ステップＳ２０１でＢＢゲーム中またはＳＳＢゲーム中であると判断された場合（Ｙｅｓ）、ステップＳ２１９にてＢＢゲーム遊技処理またはＳＳＢゲーム遊技処理で既に変更されている乱数抽選の当り値テーブルで抽出乱数が小役であるかが判断される。小役であると判断されると（Ｙｅｓ）、ステップＳ２２０で小役フラグがＯＮにされてステップＳ２１８へと進む。また小役でないと判断された場合（ステップＳ２１９＝Ｎｏ）もステップＳ２１８へと進み、当選フラグコマンドがサブ制御基板９４へと送信されることになる。
【０１２０】
（２−２−１．演出パターン決定処理）
ステップＳ２１７の演出パターン決定処理では、当選フラグに応じた演出パターンが選択される。ここで決定された演出パターンに従った演出表示が、後述する演出処理にて液晶表示部５８やランプ、スピーカ等により実行されることになる。図１０は演出パターンテーブルを具体的に示している。なお演出パターン乱数は、該当する当選フラグに応じた演出パターンを決定する乱数抽選が行なわれる際に用いられるものであり、演出パターン決定処理の中で用いられるもの（０から９９の乱数）としている。もちろん抽出乱数に基づいて演出パターンが選択される態様としても問題はない。
【０１２１】
図１０（ａ）は通常時の演出パターンテーブルであり、この特徴として、スイカとチェリーフラグが成立した場合は、ナビゲーション演出が選ばれ易い。このナビゲーション演出とは、該当する小役を遊技者に示唆（または教示、告知、報知）する内容の演出であり、遊技者が当選した小役（またはリプレイ）を取りこぼさないように適度な割合で行なわれるものである。そのため、遊技者が取りこぼしてしまうことの多い、スイカ、チェリーは特にナビゲーション演出が行なわれる割合を高くしている。これによりスイカやチェリーの取りこぼしをある程度回避することが可能となり、遊技者が単位時間当たりに消費する遊技価値の量をある程度抑えることに役立つ。
【０１２２】
また、通常演出とは特別な演出を行なわない演出パターンのことをいい、通常時の演出の割合のほとんどを占めているものである。通常演出には、液晶表示等で背景が時間とともに変化していく様子や、キャラクター等が歩いていく様子などの内容が含まれるたものである。そしてＢＢ告知演出とはＢＢに当選したことを告知（明確に遊技者に知らせる、アピールする）ものであり、ＢＢ当選フラグがＯＮとなっている場合で、かつ、非常に低い割合（ＢＢ当選時の約１／１０）でしか選ばれない。このように低い割合とするのは、ＢＢ告知演出をあくまでも初級の遊技者や遊技に不慣れな遊技者が、ＢＢに当選したことを分からずにメダルを無駄に消費し過ぎて大きな不利益を被らないように救済措置的な演出として位置づけているからである。
【０１２３】
図１０（ｂ）では有利時の演出パターンテーブルを示している。ここで特徴となるのは、リプレイ以外はナビゲーション演出が行なわれる割合が非常に高くなっている。ここでリプレイ当選時に特別な演出を行なわないこととしたのは、詳しくはリール停止処理にて説明するが、リプレイは特に取りこぼしが無い当選種類であり、またナビゲーションされた結果、リプレイが揃ったとしても遊技者が嬉しく感じることが他の小役（あるいはＢＢ、ＳＳＢ）に比べれば少ない。これは、取りこぼしがない当選種類（リプレイ）に当選した場合にまで特別な演出を行なうと、期待を持たせておいて結局はリプレイだったとわかると遊技者が大いに不快な思いをすることが多いからである。また有利時は通常演出以外の演出が頻繁に行なわれる可能性が高い（選択される割合が高いので）ので、あえてリプレイ当選時には特別な演出を行なわないこととすると、それだけ演出が行なわれる機会が少なくなるので、演出のわずらわしさを感じることや、糠喜びさせるような演出を極力抑えることになる。その結果、通常演出以外の演出が行なわれれば遊技者にとって有利な状況（チャンス）が到来したのではないかと大いに期待を持たせることができる。
【０１２４】
有利時においてもＢＢ告知演出は全体の中でみれば選択される割合を低め（約１／５）であるが、通常時に比べると約２倍の割合で選択されやすくなっている。これは有利時には一刻も早くＢＢに当選したいという遊技者の願いを叶えるとともに、それでもＢＢ当選を告知なしに察知したいという中級または上級の遊技者の希望にも添うことが可能な適度の割合であるといえる。
【０１２５】
最後に連続演出についてであるが、既に述べた通常演出、ナビゲーション演出、ＢＢ告知演出についてはともに１回のゲームで演出が完結するものである。それらとは異なり、連続演出では複数回のゲームにわたり演出が行なわれる。この連続演出では、遊技者の興奮を頂点に到達させるまでの演出が行なわれる。従って連続演出が選択される当選種類をＢＢあるいはＳＳＢに集中させて遊技者に大いに期待を持たせるものとしている。ただし、通常時には、ハズレ時およびスイカまたはチェリー当選時にも少ない割合で連続演出が選ばれる可能性がある。これは通常演出の割合が多くなる通常時のゲーム展開（ゲームの進行状況）に適度な変化を持たせて遊技者にマンネリ感を与えたり、遊技意欲を減退させたりすることを抑えるためのものである。
【０１２６】
さらに、連続演出では、その演出の最後に遊技者に遊技状態をある程度判断することができるように結果表示（連続演出の結末表示）を行なう。例えば、勝敗（勝ちあるいは負け）を表示することで、「勝ち」の場合はＢＢ、ＳＳＢ、あるいは有利時等の遊技者にとって嬉しい状態であることを示唆し、「負け」の場合は、残念ながら、上記とは反対にＢＢ、ＳＳＢ、あるいは有利時等の可能性が低い（または全く可能性が無いとしてもよい）ことを示唆することができる。本実施形態のスロットマシン１では、通常時の連続演出では、ハズレ以外の当選種類の場合、１／２で、「勝ち」が選ばれるものとしている。これは、たとえ「負け」となっても遊技者に期待を持たせるためである。反対にハズレの場合には全て「負け」とすれば、遊技者を糠喜びさせて不興を与えることが少なくなる。有利時の連続演出では、ハズレの場合でも１／４で「勝ち」が選ばれるものとする。さらにＢＢまたはＳＳＢ当選時にもすべて「勝ち」が選ばれるようにする。こうすると、連続演出が行なわれることは即ちＢＢあるいはＳＳＢ当選の可能性が非常に高いことを遊技者にアピールすることができる。
【０１２７】
また、上記の演出表示パターンを決定する乱数抽選のタイミングとして、メイン制御基板９２で行なわれる内部抽選とは別の抽選（演出用の内部抽選）として先の内部抽選と同じタイミングでメイン制御基板９２にて行なうこととする。
【０１２８】
なお、上記の乱数抽出のタイミングを内部抽選の後としてもよい。またメイン制御基板９２の内部抽選の結果の当選フラグコマンドを受けてサブ制御基板９４にて上記の演出用の内部抽選を行なうこととしてもよい。
【０１２９】
（３．リール停止処理：停止制御手段）
図１１は、一例としてテーブル方式によるリール停止処理の内容を示している。リール制御については公知の技術を適用できるため、ここでは処理の流れを概略的に説明する。
【０１３０】
リール停止処理では先ず、該当するゲームでの当落結果を表す成立フラグにしたがってリール制御テーブルが選択される（ステップＳ３０１）。なお、リール制御テーブルは予め全ての当落結果について複数のパターンのものが用意されており、これらは読み出し専用のテーブルデータとしてメイン制御基板９２のＲＯＭ１１２に格納されている。
【０１３１】
適切なパターンのリール制御テーブルが選択された状態で、停止ボタン２０，２２，２４が押されるまで待ち受け状態となる（ステップＳ３０２，Ｓ３１０，Ｓ３１７）。これらの待ち受け状態で、左リール、中リールおよび右リールの各リール１０ａ，１０ｂ，１０ｃが既に停止しているか否か、あるいは第１リール停止フラグが立っていない状態（＝０）であるか否かが判断されるとともに、あわせて左、中、右のいずれかの停止ボタン２０，２２，２４が押されたか否かが判断される。いずれの停止ボタン２０，２２，２４も押されていなければ、ステップＳ３０９の判断が否定（Ｎｏ）されてステップＳ３０２以降が繰り返される。
【０１３２】
例えば、いわゆる「順押し」または「順はさみ押し」の手順に沿って最初に左の停止ボタン２０が押されたとすると（ステップＳ３０２＝Ｙｅｓ）、左の停止ボタン２０が押された時点では第１リール停止フラグが立っていない（ステップＳ３０３＝Ｙｅｓ）ため、左リール１０ａについて第１リール停止処理（ステップＳ３０４）が実行される。なお、ここでいう「第１リール停止処理」とは、１番目にリールを停止させる処理という意味である。
【０１３３】
あるいは、いわゆる「中押し」の手順に沿って最初に中央の停止ボタン２２が押されると（ステップＳ３１０＝Ｙｅｓ，ステップＳ３１１＝Ｙｅｓ）、中リール１０ｂについて第１リール停止処理（ステップＳ３１２）が実行される。これ以外に、いわゆる「逆押し」または「逆はさみ押し」の手順に沿って最初に右の停止ボタン２４が押された場合は（ステップＳ３１７＝Ｙｅｓ、ステップＳ３１８＝Ｙｅｓ）、右リール１０ｃについて第１リール停止処理（ステップＳ３１９）が実行される。
【０１３４】
左リール、中リールおよび右リールのいずれかのリール１０ａ，１０ｂ，１０ｃについて第１リール停止処理（ステップＳ３０４，Ｓ３１２，Ｓ３１９）が行われると、該当する成立フラグに対応した複数パターンのリール制御テーブルのなかから、乱数値に基づいて１つのテーブルパターンが選択される。これは、例えば１つの当選役「ベル」について、リール１０ａ〜１０ｃ上にある図柄「ベル」を有効ライン上に停止させるために予め複数パターンのリール制御テーブルが用意されているが、前記テーブルの中から１つのパターンが選択されることを意味する。そして、１つのパターンが選択されると、該当するリール制御テーブルに基づいてリール１０ａから１０ｃの停止位置が制御される。これにより、例えば図柄「ベル」が有効ライン上のどこかで停止されることとなる。
【０１３５】
例えば、順押し手順に沿って左リール１０ａが第１番目に停止されるパターンを例にとると、ステップＳ３０４で左リール１０ａについて第１リール停止処理が行われる。また、このときメイン制御基板９２は、左リール１０ａの停止目を表す停止情報コマンド（第１停止情報コマンド）をサブ制御基板９４に送信する。
【０１３６】
次のステップＳ３０６では残りの中リール、右リール１０ｂ，１０ｃについてそれぞれリール制御テーブル（停止テーブル）が乱数抽選によって決定される。具体的には、図１において左リール１０ａの停止時に図柄「ベル」が下段位置に停止されたとすると、停止された時点で図柄の組み合わせが表示されるラインとして下段ラインまたは右上がりラインの２通り（ＭＡＸベットの場合）が選択可能となるが、ここでは乱数抽選によっていずれか一方（例えば右上がりライン）が選択される。なお、乱数抽選の振り分け率は半々程度でよい。
【０１３７】
以上の処理（ステップＳ３０６）が行われると、続いて第１リール停止フラグがＯＮ（＝１）にされるとともに（ステップＳ３０７）、左リール停止フラグがＯＮ（＝１）にされる（ステップＳ３０８）。左リール停止フラグがＯＮ（＝１）になった段階では全てのリール１０ａ〜１０ｃが停止していないので、ステップＳ３０９の判断が否定（Ｎｏ）されてステップＳ３０２以降が実行される。
【０１３８】
すると、このとき既に左リール１０ａが停止しているので（ステップＳ３０２＝Ｎｏ）、順押し手順に沿って２番目に中央位置の停止ボタン１２が押されると（ステップＳ３１０＝Ｙｅｓ）、第１リール停止フラグの判定（ステップＳ３１１＝Ｎｏ）を経て中リール停止処理（ステップＳ３１３）が実行される。中リール停止処理では、先に中リール１０ｂについて選択されているリール制御テーブル（停止テーブル）に基づいて停止位置が制御される。これにより、上記の右上がりに図柄が組み合わせとして表示されるラインの例でいうと、中リール１０ｂ上の図柄「ベル」が中段位置に停止することとなる。また停止目上は、右上がりライン上で左リール、中リール１０ａ，１０ｂに図柄「ベル」が２つ揃った状態（いわゆる「右上がりテンパイ」）となる。このときメイン制御基板９２は、中リール１０ｂの停止目を表す停止情報コマンド（第２停止情報コマンド）をサブ制御基板９４に送信する。またこの場合、中リール１０ｂは第２停止であるためステップＳ３１２，Ｓ３１４，Ｓ３１５は全て迂回され、ステップＳ３１６にて中リール停止フラグがＯＮ（＝１）にされるだけとなる。
【０１３９】
同様にして、最後に右の停止ボタン１３が押されると（ステップＳ３１７＝Ｙｅｓ）、第１リール停止フラグの判定（ステップＳ３１８＝Ｎｏ）を経て、先に右リール１０ｃについて選択されているリール制御テーブル（停止テーブル）に基づいて停止位置が制御される（ステップＳ３２０）。これにより、３番目の右リール１０ｃ上の図柄「ベル」が上段位置に停止するので、全リール停止時の出目は、右上がりライン上に図柄「ベル」が３つ揃った状態となる。このときメイン制御基板９２は、右リール１０ｃの停止目を表す停止情報コマンド（第３停止情報コマンド）をサブ制御基板９４に送信する。またこの場合、右リール１０ｃは第３停止であるためステップＳ３１９，Ｓ３２１，Ｓ３２２は全て迂回され、ステップＳ３２３にて右リール停止フラグがＯＮ（＝１）にされる。
【０１４０】
ここまでの処理を経て全リール停止フラグがＯＮになると、ステップＳ３０９の判断が肯定（Ｙｅｓ）されるため、メイン制御基板９２による処理は本ルーチンを抜ける。
【０１４１】
なお、上記のリール停止処理では、内部抽選にて当選した当選種類に該当する当選図柄が停止操作の受け付けられた時点から表示窓８内に引き込み可能な範囲（位置）にある場合は、必ず引き込んで該当当選図柄を表示窓８内に停止させようとする制御が行なわれる。引き込み可能な範囲とは、リールが停止する際にリールの回転方向に移動が可能な最大の図柄分数（例えば、４コマ）のことをいう。つまり、図３のリール配列図によれば、リプレイおよびベルについては、各リールともに各々の図柄間が最大でも４図柄分の他図柄で構成されているので、配列上取りこぼすことが無いのである。
【０１４２】
ＳＳＢ図柄は特に該当する専用の図柄を設けているのではなく、複数の一般小役図柄等からなる特定の組み合わせ態様を持って有効となるものである（本実施形態のスロットマシンでは「スイカ−ベル−リプレイ」）。従って図３のリール配列上から、遊技者が順押し（順はさみ押し）でリール停止処理を行なう場合、ＳＳＢ図柄を取りこぼす（揃えられない）ことがほとんどない。これは、左リール１０ａのスイカ図柄、中リール１０ｂのベル図柄、右リール１０ｃのリプレイ図柄ともに、引き込み可能範囲内（例えば、左リール１０ａのスイカ図柄からスイカ図柄までの間隔が最大でも４図柄分）に各図柄が配置されている。これは、中リール１０ｂのベル図柄および右リール１０ｃのリプレイ図柄も同様に、最大でも４図柄分の間隔で配置されている。従って左リール、中リールおよび右リールの各リールは順押し（若しくは順はさみ押し）を行なえば、適当に（目押しを全くせずに）停止操作を行なっても、左リール１０ａにはスイカ図柄を、中リール１０ｂにはベル図柄を、右リール１０ｃにはリプレイ図柄を停止させることができる。これが、順押しをした場合は、ＳＳＢとなる図柄の組み合わせを取りこぼすことがないとした理由である。ただし、順押し（順はさみ押し）以外の停止操作、つまり変則押し（逆押し、逆はさみ押し、中押し等）を行なった場合は、上記の限りではない。これは、左リール１０ａにチェリー図柄が存在することにより、引き込み可能な範囲に該当図柄（スイカ図柄）があったとしても、チェリー図柄を表示窓８内に停止してしまうことを回避する制御（所謂、蹴飛ばし制御）が行なわれるからである。変則押しを行なった場合は、既に中または右リールのうち少なくとも１つ以上のリールが停止していることとなるので、ＳＳＢが有効となる場合の該当図柄の停止位置が限定されてしまうことで起こるものである。従って、スロットマシン１は例えば、「順押し専用」、「順押しまたは順はさみ押しにて御遊技下さい」等の表示（遊技機本体で遊技者が視認できる箇所、例えばベットボタンの近傍やメダル投入口の付近等）により遊技者が混乱しないように案内（教示、説明）することが望ましい。なおＳＳＢ図柄をほとんど取りこぼさないとしたが、図３の配列図でみると、「スイカ−ベル−リプレイ」が揃ったときに小役が重複して揃う場合がある。こうした場合には小役が揃わないように「蹴飛ばし制御」が行なわれることとなり取りこぼしが生じてしまう。そして小役と重複しないＳＳＢ図柄が揃うまで、ＳＳＢ当選フラグは次回以降のゲームに持ち越されることになる。そのため、ＳＳＢ図柄としての組み合わせを複数種類設けることや、その他の当選種類との重複を回避できる組み合わせをＳＳＢ図柄として設けることが望ましい。
【０１４３】
以上がテーブル方式によるリール停止処理の一例である。これとは別にコントロール方式によるリール停止処理があるが、これについても公知の処理を適用可能であるため、ここでは具体的な説明を省略する。また、本実施形態においてコントロール方式またはテーブル方式のいずれのリール停止処理を実行してもよく、どの方式を採用するかは制御プログラムを構築するにあたって適宜決定すればよい。
【０１４４】
（４．判定処理）
図１２は、判定処理の内容を具体的に示している。上記のリール停止処理によって全てのリール１０ａ，１０ｂ，１０ｃが停止されると、メイン制御基板９２はそのとき表示されている出目を確認する処理を行なう（ステップＳ４０１）
【０１４５】
次に、全リール停止時の出目から組み合わせとして表示された図柄がＢＢ図柄（第１特別当選図柄）であるか（ステップＳ４０２）、ＳＳＢ図柄としての出目であるか（ステップＳ４０３）、小役図柄（一般小役図柄）であるか（ステップＳ４０４）、リプレイ図柄（再遊技図柄）であるか（ステップＳ４０５）、それともハズレ図柄であるかがそれぞれ判断される。そして、そのとき組み合わせとして表示された図柄がＢＢに該当すると判断されると（ステップＳ４０６＝Ｙｅｓ）、ＢＢ図柄の組み合わせが表示されたことを知らせる効果音コマンドがサブ制御基板９４に送信される（ステップＳ４０７）。また、表示された組み合わせの図柄が小役に該当すると判断されると（ステップＳ４０４＝Ｙｅｓ）、各小役図柄に対応した枚数のメダル払出動作がホッパ装置７８に指示されるとともに、払出し音コマンドがサブ制御基板９４に送信される（ステップＳ４０８）。あるいは、リプレイ図柄の組み合わせが表示されたと判断される（ステップＳ４０５＝Ｙｅｓ）と、リプレイゲーム処理（ステップＳ４１１）が実行される。ここでリプレイゲーム処理とは、あらためてメダルの投入もしくはベット操作をすることなく、次回のゲーム時を再遊技として実行できることをいう。その場合の有効ライン数は、リプレイ図柄が揃ったゲームの有効ラインと同じラインとなる（例えば、３ベットしてゲームを開始した結果、リプレイが揃った場合、次ゲーム時に再遊技を開始するときも３ベット時のライン数が有効となる）。
【０１４６】
ＢＢ図柄またはＳＳＢとなる図柄の組み合わせを表示することを許容された場合、つまり、図８のフラグ処理において、ＢＢまたはＳＳＢの当選フラグがＯＮとなった場合は、そのときに表示された組み合わせの図柄に応じてＢＢゲーム遊技処理（ステップＳ４０９）またはＳＳＢゲーム遊技処理（ステップＳ４１０）が実行されて判定処理は終了となる。
【０１４７】
また小役図柄、リプレイ図柄の組み合わせを表示させることを許容された場合は、そのときに表示された組み合わせの図柄に応じて払出しまたはリプレイゲーム処理が実行されて、小役またはリプレイの当選フラグがＯＦＦにされ（ステップＳ４１２、Ｓ４１３）この処理は終了される。なお上記の図柄に応じて払出しが行われることは遊技価値付与手段の一例に相当する。また、ハズレフラグＯＮの時や成立フラグに対応する図柄が有効ラインに揃っていない（取りこぼし）場合（ステップＳ４０５＝Ｎｏ）は、ＢＢまたはＳＳＢ当選フラグ以外の成立フラグがＯＦＦにされて（ステップＳ４１４）、同じく判定処理は終了となる。ここでＢＢまたはＳＳＢ当選フラグ以外の成立フラグがＯＦＦにされることとは、つまりＢＢまたはＳＳＢの当選フラグは維持されるということである。なぜなら、ＢＢまたはＳＳＢは、小役やリプレイが組み合わせとして表示された場合の特典よりも遊技者にとっての特典が有利なためである。このＢＢまたはＳＳＢの特典が有利なことについては後述する。さらにＢＢ図柄は各リールごとに少ない（例えば、１〜３個）ため、ＢＢ当選フラグがＯＮになった場合でも、その図柄を狙って停止（いわゆる、目押し）させる必要がある。すなわち、ＯＮになったフラグがＢＢまたはＳＳＢの当選フラグ以外のときは、そのＯＮになったゲームにおいて成立フラグに対応する図柄を揃えられた場合も取りこぼした場合も、その成立フラグは消滅する。しかしＢＢまたはＳＳＢの当選フラグは当該図柄を揃えるまで維持される。このＢＢまたはＳＳＢ当選フラグの維持は、遊技者がほとんど差を生じることなくＢＢまたはＳＳＢの特典を付与させるために図られた便宜であるともいえる。
【０１４８】
なお、ＢＢゲーム遊技処理（ステップＳ４０９）またはＳＳＢゲーム遊技処理（ステップＳ４１０）に進んだ場合は、これら各処理中においてＢＢまたはＳＳＢ当選フラグがＯＦＦにされる。
【０１４９】
（５．特別遊技状態）
本実施形態のスロットマシン１では、ＢＢ図柄（「７−７−７」、「Ｖ−Ｖ−Ｖ」）またはＳＳＢとなる図柄（「スイカ−ベル−リプレイ」）で図柄の組み合わせが表示された場合、次回のゲームからそれぞれ「ＢＢゲーム」、「ＳＳＢゲーム」と称する特別遊技状態に移行する。これらＢＢゲームやＳＳＢゲームは複数回のゲーム機会が含まれており、特にＢＢゲームでは、この間に集中してメダル等の払出しの可能性があるため、遊技者にとっては通常のゲーム（通常遊技）よりも有利な状態であるといえる（遊技価値付与機会増加手段）。
【０１５０】
また、ＳＳＢゲームは、ＢＢゲームに比べると、少量のメダルしか獲得できないものである。ただし、ＳＳＢは、そのＳＳＢゲーム終了後から、ＢＢ（あるいはＳＳＢ）に当選し易くなるという有利遊技状態へ遊技状態を変化させるという特典を備えた当選種類である。このＳＳＢゲームおよび有利遊技状態については後述する。
【０１５１】
（５−１．ＢＢゲーム遊技処理：第１特別遊技状態移行手段）
図１３は、ＢＢゲーム遊技処理の内容を具体的に示している。ここでは先ず、初期化処理が行われるとともに、ＢＢゲーム用に乱数抽選の当り値テーブルが変更される（ステップＳ５０１）。ここで変更された当り値テーブルは通常よりも小役の当り値を多く保有しており、それだけＢＢゲーム中は小役の当選確率が高い状態にあるといえる（図１４）。特に小役（ベル）の当選確率が通常ゲームに比べて約２０倍に高く変更されるので、ＢＢゲーム中は効率良くメダルを獲得していくことができる。なおＢＢゲーム中はベル、スイカ、チェリーまたはハズレのみが当選する可能性のある当選種類に変更される。
【０１５２】
次にＢＢの当選フラグがＯＦＦにされ（ステップＳ５０２）、続いてリール装置１０の始動処理（ステップＳ５０３）および停止処理（ステップＳ５０４）が実行される。これら始動処理および停止処理の内容は既に説明したものと同じである。またステップＳ５０２では、ＳＳＢの当選フラグの同時にＯＦＦにされる。
【０１５３】
停止処理によって全リール１０ａ，１０ｂ，１０ｃが停止すると、そのときの出目がサブ制御基板９４に送信され（ステップＳ５０５）、そして、内部のＢＢゲーム数カウンタが１つだけカウントアップされる（ステップＳ５０６）。
【０１５４】
次に、全リール１０ａ，１０ｂ，１０ｃ停止時の出目が判断され、小役図柄（ベル、スイカ、チェリーのいずれか）が揃ったか否かが判断される（ステップＳ５０７）。
【０１５５】
判断の結果、小役図柄の組み合わせが表示されなかった場合（Ｎｏ）はステップＳ５１１に進んで成立フラグがＯＦＦにされる。この場合は、抽選でハズレフラグがＯＮになっていたか、あるいは当選フラグがＯＮになっていても遊技者が該当する図柄の組み合わせを取りこぼしたかのいずれかであると考えられる。
【０１５６】
これに対し、ステップＳ５０７の判断において、小役図柄の組み合わせが表示された場合（Ｙｅｓ）、ステップＳ５０８の払出処理が行われメダルが付与される。さらにこのとき、メイン制御基板９２は該当図柄に対応した枚数のメダルの払い出しをホッパ装置７８に指示するとともに、払出し音コマンドをサブ制御基板９４に送信する（ステップＳ５０９）。また、メイン制御基板９２がメダルの払い出しを指示すると、その枚数分だけ累計払出枚数がカウントアップされる（ステップＳ５１０）。
【０１５７】
小役図柄の組み合わせが表示された場合もステップＳ５１０に続いてステップＳ５１１が実行され、そこで成立フラグ（小役の当選フラグ）がＯＦＦになる。そして、毎回のゲーム終了後にビッグボーナスゲームそのものを終了すべきか否かの終了判定が行われ（ステップＳ５１２）、終了条件が満たされていない間（Ｎｏ）はステップＳ５０３に戻って次の始動処理が行われる。
【０１５８】
ＢＢゲームの終了条件は、以下のいずれかが満たされた場合である。
（１）ステップＳ５０６で、ＢＢゲーム数カウンタのカウント数が４０回に達したこと。
（２）ステップＳ５１０で、累計払出枚数が４００枚に達したこと。
【０１５９】
上記いずれかの条件が満たされると、ステップＳ５１２の終了判定が肯定（Ｙｅｓ）され、次にＢＢゲームの終了処理が行われるとともに当り値テーブルが元に戻される（ステップＳ５１３）。また前述したフラグ処理で、遊技状態フラグ振り分け抽選で有利遊技状態フラグが選ばれており、ステップＳ５１３で元に戻された当り値テーブルが通常時判定テーブルであった場合、通常時判定テーブルから有利時判定テーブルへの変更が実行される。
【０１６０】
なお、ＢＢゲーム中にのみ有効となる専用の図柄の組み合わせを用いて、ＢＢゲーム中にはこの専用の図柄の組み合わせに当選することでメダルを獲得する態様であってもよい。
【０１６１】
（５−２．ＳＳＢゲーム遊技処理：第２特別遊技状態移行手段）
図１５は、ＳＳＢゲーム遊技処理の内容を具体的に示している。ここでは先ず、初期化処理として、ＳＳＢの当選フラグおよびＢＢの当選フラグがＯＦＦにされるとともに、ＲＢゲーム用に乱数抽選の当り値テーブルが変更される（ステップＳ６０１）。ここで変更された当り値テーブルは通常よりも小役の当り値を少なく有しており、ＳＳＢゲーム中は通常時のゲームに比べて小役の当選確率が低い状態にあるといえる（図１６）。ここで特徴としてＳＳＢゲームでは、ほとんど小役に当選する期待が持てない（ハズレが非常に高い割合で選ばれてしまう）。つまり、ＳＳＢゲームではメダルをほぼ獲得できない内容のゲームであるといえる。従って、ＳＳＢは、メダルを獲得する機会を近づけるための遊技特典、即ち有利遊技状態へ移行するための通過点（経由点、橋渡し）としての特徴を備えた当選種類であるといえる。
【０１６２】
次にリール装置１０の始動処理（ステップＳ６０１）および停止処理（ステップＳ６０２）が実行される。これら始動処理および停止処理の内容は既に説明したものと同じである。
【０１６３】
停止処理によって全リール１０ａ，１０ｂ，１０ｃが停止すると、そのときの出目がサブ制御基板９４に送信され（ステップＳ６０４）、そして、内部のＳＳＢゲーム数カウンタが１つだけカウントアップされる（ステップＳ６０５）。
【０１６４】
次に、全リール１０ａ，１０ｂ，１０ｃ停止時の出目が判断され、小役図柄（ベル、スイカ、チェリーのいずれか）が揃ったか否かが判断される（ステップＳ６０６）。
【０１６５】
判断の結果、小役図柄の組み合わせが表示されなかった場合（Ｎｏ）はステップＳ６０９に進んで成立フラグがＯＦＦにされる。この場合は、抽選でハズレフラグがＯＮになっていたか、あるいは当選フラグがＯＮになっていても遊技者が該当する図柄の組み合わせを取りこぼしたかのいずれであると考えられる。
【０１６６】
これに対し、ステップＳ６０６の判断において、小役図柄の組み合わせが表示された場合（Ｙｅｓ）、ステップＳ６０７の払出処理が行われメダルが付与される。さらにこのとき、メイン制御基板９２は該当図柄に対応した枚数のメダルの払い出しをホッパ装置７８に指示するとともに、払出し音コマンドをサブ制御基板９４に送信する（ステップＳ６０８）。また、メイン制御基板９２がメダルの払い出しを指示すると、その枚数分だけ払出しカウンタがカウントアップされる（ステップＳ６０９）。
【０１６７】
小役図柄の組み合わせが表示された場合もステップＳ６０９に続いてステップＳ６１０が実行され、そこで成立フラグ（小役図柄の当選フラグ）がＯＦＦになる。そして、毎回のゲーム終了後に薔薇ボーナスゲームそのものを終了すべきか否かの終了判定が行われ（ステップＳ６１１）、終了条件が満たされていない間（Ｎｏ）はステップＳ６０２に戻って次の始動処理が行われる。
【０１６８】
ＳＳＢゲームの終了条件は、以下のいずれかが満たされた場合である。
（１）ステップ６５０５で、ＳＳＢゲーム数カウンタのカウント数が２回に達したこと。
（２）ステップＳ６０９で、払出しカウンタがカウントアップされること。
【０１６９】
上記いずれかの条件が満たされると、ステップＳ６１１の終了判定が肯定（Ｙｅｓ）され、次にＳＳＢゲームの終了処理が行われるとともに当り値テーブルが元に戻される（ステップＳ６１２）。
【０１７０】
最後に、ステップＳ６１２に続いて有利遊技状態移行処理が行なわれてＳＳＢゲーム遊技処理は終了となる（ステップＳ６１３）。有利遊技状態移行処理では、通常時判定テーブルが選ばれていた場合、通常時判定テーブルから有利時判定テーブルへの変更が実行されて以後のゲーム（有利ゲーム）が行なわれる。以下では、この有利遊技状態について説明する。
【０１７１】
（６．有利遊技状態〔高確率遊技状態〕）
本実施形態のスロットマシン１において、ＲＢゲームの終了とともに有利遊技状態へと遊技状態の移行が行なわれる（有利遊技状態移行処理）。あるいはＢＢに当選した遊技状態フラグ振り分け抽選に当選した場合にもＢＢゲーム終了とともに有利遊技状態（高確率遊技状態）へと遊技状態の移行が行なわれる。有利遊技状態に移行すると、図９（ｂ）で示した有利時判定テーブルが適用された内部抽選が実行されることとなる。
【０１７２】
なお、スロットマシン１は設定（例えば１〜６まで６段階の設定値があり、通常確率においては各設定ごとにＢＢ、ＳＳＢ等の当選確率に差がつけられている）を設けることで、終日遊技を行なった時の総獲得メダル枚数（遊技者が獲得したメダルの合計）に大幅な差をつけて遊技者の遊技意欲を向上させたり、ホールの経営形態などに合わせて設定値を変更したりすることができる。
【０１７３】
本実施形態のスロットマシン１では、通常遊技状態でのＢＢ当選確率を、上記の設定値４に相当する１／２５６としているが、有利遊技状態では、１０倍の１／２５．６までＢＢ当選確率を高く変更させる。これにより遊技者がＢＢに短いゲーム数で到達することが可能となる。しかし遊技者には、現在の遊技状態が有利遊技状態なのかそれとも通常遊技状態なのか判断が付きにくいことから、あたかもＢＢに比較的連続して当選したかのように見える。すると遊技者は、まだ有利遊技状態が続いているのではないかと期待を持つようになる。
【０１７４】
また、本実施形態のスロットマシン１では、ＳＳＢゲームのみから遊技特典として有利遊技状態へ移行することに加えて、ＢＢゲームからも有利遊技状態に移行する可能性がある（約１／３の割合で）。そのため、ＢＢ図柄の組み合わせが揃った場合にも遊技者は有利遊技状態への移行を期待できることになり、さらに遊技の面白さが増えることになる。ただし、ＢＢ図柄が揃った場合に有利遊技状態への移行が行なわれるのは、多くとも１／２程度に留めることが望ましい。これは、遊技者の認識できない図柄の組み合わせから開始されるゲーム（ＳＳＢゲーム）から遊技者にとって有利な遊技状態へと知らない間に変わっていたということが遊技者の驚きをより大きいものとすることができるからである。
【０１７５】
本実施形態のスロットマシン１では、液晶表示部５８の演出表示のほか、スピーカ５６、各ランプ６０，６２，６４，６６、ボーナスフラグ告知ランプ４４、クレジット枚数表示部３０、ゲーム数表示部３２、払出し枚数表示部３４等により様々な演出態様を実行させる。これにより遊技者を視覚的にも聴覚的にも満足させて、ゲームを楽しませることができる。
【０１７６】
（７．演出処理）
以上は、メイン制御基板９２による遊技制御の例であるが、本実施形態のスロットマシン１では、遊技の進行にあわせてサブ制御基板９４により演出動作の制御が行われる。
【０１７７】
図１７は、サブ制御基板９４により実行される演出処理の一例を示している。スロットマシン１の電源が投入（電源スイッチ７６がＯＮに操作）されると、この演出処理において先ず初期化処理が行われる（ステップＳ７０１）。次にメイン制御基板９２から送信されるメダル投入コマンドが待ち受けられ（ステップＳ７０２）、実際にメダル投入コマンドが送信されると、これに応じて投入音やベット音等を出力させる演出（メダル投入演出処理）が行われる（ステップＳ７０３）。
【０１７８】
続いて、メイン制御基板９２から送信される当選（始動）フラグコマンドが待ち受けられる（ステップＳ７０４）。当選（始動）フラグコマンドは、始動レバー１８の操作を契機としてメイン制御基板９２から送信され、サブ制御基板９４では、当選（始動）フラグコマンドを受信すると、それに合わせた演出動作の制御が行われる（ステップＳ７０５、始動時演出処理）。ここでの演出動作は例えば、リール始動音の出力や液晶表示装置５８による画像表示演出等である。
【０１７９】
上記の始動時演出処理が行われると、続いて停止情報コマンドが待ち受けられる（ステップＳ７０６）。３つの停止ボタン２０，２２，２４がすべて停止操作されると、メイン制御基板９２からサブ制御基板９４に停止情報コマンドが送信され、これを受けてサブ制御基板９４では、それぞれ当選フラグと停止情報コマンドに応じた演出動作の制御が行われる（停止時演出処理）。ここでの演出動作は例えば、各リール停止音の出力やリール消灯演出、液晶表示装置５８による画像表示演出等である（ステップＳ７０７）。
【０１８０】
そして、ステップＳ７０８では、判定処理の結果に応じてメイン制御基板９２から払出コマンドが送信されてくるので、これを受けてサブ制御基板９４では払出し音出力による演出が行われる。さらに、ここではメイン制御基板９２から送信される遊技ステータスコマンドが待ち受けられ、受信したコマンドから現在の遊技ステータスが吟味される。このときも受信した遊技ステータスコマンドに応じた演出動作の制御が行なわれる（ステップＳ７０９、遊技ステータス演出処理）。なお遊技ステータスは、遊技状態（通常時、ＢＢゲーム等）を表すものである。
【０１８１】
（７−１．各種演出処理）
演出処理では、前述したフラグ処理にてメイン制御基板９２より送信される情報コマンド（当選フラグコマンドおよび演出パターンコマンド）をサブ制御基板９４が受信して各種演出表示が実行される。本実施形態のスロットマシン１では、始動時演出処理または停止時演出処理にて各種演出を実行させる。いずれの演出処理にて演出表示が実行されるかは情報コマンドを受信した時点でサブ制御基板９４にて抽選を行なって決めるものとする。
この抽選の振り分けは半々とする。つまりサブ制御基板９４で受信した演出パターンコマンドに基づいた演出表示が始動時演出処理あるいは停止時演出処理のどちらかで必ず実行されることとなる。なお、演出処理の振り分けは半々以外の割合としてもよく、さらにメダル投入演出処理または遊技ステータス演出処理も含めたいずれかで演出表示を実行させることとしてもよい。これは、いずれのタイミングでも演出表示が行なわれるという認識を遊技者に与えることができる。
【０１８２】
また、演出表示は、液晶表示部５８、スピーカ５６、ランプ６０，６２，６４，６６等で行なわれる演出画面および効果音のことをいう。次に各演出表示であるが、通常演出が実行される通常表示は通常画面表示のままであり、特別な演出が行なわれるものではない。ナビゲーション演出が実行されるナビゲーション演出表示は、主に小役またはリプレイに当選したことを示唆（アピール）して、遊技者の取りこぼしを回避させる演出である。例えば、スイカ図柄をそのままあるいはイメージした色、キャラクター等を表示させて遊技者に示唆するものである。
【０１８３】
ＢＢ告知演出が実行されるＢＢ告知演出処理では、例えば、「ボーナス確定！」等のメッセージ表示を行なわせたり、キャラクターを登場させて「当ってま〜す」等の音声を発生させたりするものである。
【０１８４】
連続演出が実行される連続演出表示は、前述したように複数回の連続したゲームにわたり演出が実行されるものである。図１８および図１９は連続演出表示の一例の画像である。この連続演出では、キャラクター（主人公）のチームと相手キャラクターチームとが綱引き対決が行なわれる。複数回の連続したゲームとは、具体的には３回のゲームにわたって綱引き対決が行なわれる。この対決の勝敗結果により、ＢＢあるいはＲＢに当選したのか、その他の小役（スイカ、チェリー）であったのか、それともハズレであったのかある程度判断できるようになっている。また有利遊技状態時には、ＢＢに当選した場合の半数の割合で連続演出表示が行なわれる。従って、有利時の連続演出が始まると遊技者のＢＢ当選に対する期待は一気に高まる。
【０１８５】
図１８（ａ）、（ｂ）では対決前の両チームのメンバーが表示される。このときのメンバーによって結果の期待度（勝ち、負け）に差をつけることとすることもできる。上記では「６人対６人」の綱引き対決が開始される場面であるが、例えば「６人対１人」にしたり、またはメンバーの構成を変えたりして様々なパターンを設けると遊技者はいつも同じ演出を見ることが少なくなり、演出表示を楽しんで見るようになる。図１８（ｃ）、（ｄ）では綱引きが開始され、図１９（ａ）、（ｂ）は一進一退の勝負が繰り広げられている場面である。３回のゲームにわたって行なわれる演出の中で、この図１９（ａ）、（ｂ）の場面が一番、遊技者の気持ちを高揚させ、ＢＢに当選したか、あるいは有利遊技状態になっているのかという期待を大いに高めることができる。その結果、図１９（ｃ）の勝利時、（ｄ）敗北時のどちらかとなる（「結果表示」）。この「結果表示」をできるだけ遅く、例えば、連続演出が開始されて３回のゲームの始動操作が始まって、全てのリールの停止操作が行なわれたときまで「結果表示」をしないこととすれば、遊技者の期待を最大限引き伸ばすことができる。
【図面の簡単な説明】
【０１８６】
【図１】スロットマシン１の正面図である。
【図２】スロットマシン１の内部構造図である。
【図３】スロットマシン１のリールの図柄配列図である。
【図４】スロットマシン１の構成を概略的に示したブロック図である。
【図５】スロットマシン１における１ゲーム（回胴遊技）の処理手順を示したフローチャートである。
【図６】スロットマシン１の始動処理のフローチャートである。
【図７】スロットマシン１の当選種類の構成表である。
【図８】スロットマシン１のフラグ処理のフローチャートである。
【図９】スロットマシン１の内部抽選の判定テーブル表である。
【図１０】スロットマシン１の演出パターンテーブル表である。
【図１１】スロットマシン１のリール停止処理のフローチャートである。
【図１２】スロットマシン１の判定処理のフローチャートである。
【図１３】スロットマシン１のＢＢゲーム遊技処理のフローチャートである。
【図１４】スロットマシン１のＢＢゲーム時の内部抽選の判定テーブル表である。
【図１５】スロットマシン１のＳＳＢゲーム遊技処理のフローチャートである。
【図１６】スロットマシン１ＳＳＢゲーム時の内部抽選の判定テーブル表である。
【図１７】スロットマシン１の演出処理のフローチャートである。
【図１８】スロットマシン１の連続演出における画像の一例（１）である。
【図１９】スロットマシン１の連続演出における画像の一例（２）である。
【符号の説明】
【０１８７】
１    スロットマシン
４    前面扉
１０    リール装置
１２    １ベットボタン
１４    ２ベットボタン
１６    ＭＡＸベットボタン
１８    始動レバー
２０    右停止ボタン
２２    中停止ボタン
２４    右停止ボタン
２６    メダル投入口
３０    クレジット枚数表示部
３２    ゲーム数表示部
３４    払出し枚数表示部（エラー表示部）
４６    貯留精算ボタン
４８    鍵穴
５２    払出口
５４    受け皿
５８    液晶表示部
６０，６２，６４，６６    ランプ
７０    電源ユニット
７２    設定キースイッチ
７４    リセットスイッチ
７６    電源スイッチ
７８    ホッパ装置
８６    メダル満タンセンサ
９２    メイン制御基板
９４    サブ制御基板
９６    外部端子板
９８    払出しセンサ
１００    エラー解除センサ１００
【図１】
2006334139.tif 000003
【図２】
2006334139.tif 000004
【図４】
2006334139.tif 000005
【図５】
2006334139.tif 000006
【図６】
2006334139.tif 000007
【図８】
2006334139.tif 000008
【図９】
2006334139.tif 000009
【図１０】
2006334139.tif 000010
【図１１】
2006334139.tif 000011
【図１２】
2006334139.tif 000012
【図１３】
2006334139.tif 000013
【図１４】
2006334139.tif 000014
【図１５】
2006334139.tif 000015
【図１６】
2006334139.tif 000016
【図１７】
2006334139.tif 000017
【図３】
2006334139.tif 000018
【図７】
2006334139.tif 000019
【図１８】
2006334139.tif 000020
【図１９】
2006334139.tif 000021